(57)【特許請求の範囲】
【請求項１】
各種複数のＷｅｂサイトを開設し、開設したそれらＷｅｂサイトのＷｅｂページを作成するＷｅｂサイト作成システムにおいて、
前記Ｗｅｂサイト作成システムが、複数のエンドユーザーを紹介するための各Ｗｅｂサイトを開設可能な複数の中間ユーザーの各中間ユーザー携帯電話から所定のメールアドレス宛に携帯メールを送信させるメール送信第１要求手段と、前記中間ユーザー携帯電話のメールアドレスを使用して各中間ユーザー携帯電話にそれらのメールアドレスに対応する中間ユーザー登録ＵＲＬを送信するＵＲＬ第１送信手段と、前記メール送信第１要求手段によってそれら中間ユーザー携帯電話から携帯メールが送信された場合、それら中間ユーザー携帯電話の各メールアドレスを登録するメールアドレス第１登録手段と、前記中間ユーザー登録ＵＲＬを使用してこのシステムにログインしたそれら中間ユーザー携帯電話を使用し、事前に登録された各ドメイン名に対応する複数のＷｅｂサイトを開設するとともに、前記中間ユーザー登録ＵＲＬを使用してこのシステムにログインしたそれら中間ユーザー携帯電話から送信された投稿用メールアドレスおよび識別子を前記中間ユーザー携帯電話のメールアドレスに関連付けた状態で登録するＷｅｂサイト開設手段と、前記中間ユーザー登録ＵＲＬを使用してこのシステムにログインしたそれら中間ユーザー携帯電話から送信された携帯メールを使用し、各ドメイン名に対応するそれらＷｅｂサイトのＷｅｂページを作成するＷｅｂページ第１作成手段と、前記Ｗｅｂページ第１作成手段によって作成したＷｅｂページを含むＷｅｂサイトをインターネットを通じて出力するＷｅｂサイト第１出力手段と、自己を紹介するための特定のＷｅｂサイトを作成可能な複数のエンドユーザーのそれらエンドユーザー携帯電話から前記投稿用メールアドレス宛に携帯メールを送信させるメール送信第２要求手段と、前記メール送信第２要求手段によってそれらエンドユーザー携帯電話から携帯メールが送信されたときにそれらエンドユーザー携帯電話の各メールアドレスを登録するメールアドレス第２登録手段と、このシステムにログインしたそれらエンドユーザー携帯電話から送信された携帯メールを使用し、Ｗｅｂサイト開設手段によって開設された特定のエンドユーザーのドメイン名に対応するＷｅｂサイトのＷｅｂページを作成するＷｅｂページ第２作成手段と、前記Ｗｅｂページ第２作成手段によって作成したＷｅｂページを含むＷｅｂサイトをインターネットを通じて出力するＷｅｂサイト第２出力手段とを有することを特徴とするＷｅｂサイト作成システム。
【請求項２】
前記Ｗｅｂサイト作成システムが、前記中間ユーザー登録ＵＲＬを使用してこのシステムにログインしたそれら中間ユーザー携帯電話からドメイン名が申請された場合、それらドメイン名を前記中間ユーザー携帯電話のメールアドレスに関連付けた状態で登録するドメイン名登録手段を含む請求項１記載のＷｅｂサイト作成システム。
【請求項３】
前記Ｗｅｂサイト作成システムが、前記エンドユーザーのメールアドレスを使用して各エンドユーザー携帯電話にそれらのメールアドレスに対応するエンドユーザー登録ＵＲＬを送信するＵＲＬ第２送信手段と、前記エンドユーザー登録ＵＲＬと前記識別子とを使用してエンドユーザーをこのシステムに登録させるエンドユーザー登録手段とを含み、前記Ｗｅｂページ第２作成手段では、前記エンドユーザー登録手段によって登録済のエンドユーザーがこのシステムにログイン可能かつ前記ＷｅｂサイトのＷｅｂページを作成可能である請求項１または請求項２にＷｅｂサイト作成システム。
【請求項４】
前記Ｗｅｂサイト作成システムが、前記システムにログインしたそれら中間ユーザー携帯電話から送信された携帯メールを使用し、各ドメイン名に対応するそれらＷｅｂサイトのＷｅｂページを編集するＷｅｂページ第１編集手段を含み、前記Ｗｅｂサイト第１出力手段では、編集したＷｅｂページを含むＷｅｂサイトをインターネットを通じて出力する請求項１ないし請求項３いずれかに記載のＷｅｂサイト作成システム。
【請求項５】
前記Ｗｅｂサイト作成システムが、前記システムにログインしたそれら中間ユーザー携帯電話から送信されたＷｅｂページの削除要求により、各ドメイン名に対応するＷｅｂサイトの削除対象のＷｅｂページを削除するＷｅｂページ第１削除手段を含む請求項１ないし請求項４いずれかに記載のＷｅｂサイト作成システム。
【請求項６】
前記Ｗｅｂサイト作成システムが、前記システムにログインしたそれらエンドユーザー携帯電話から送信された携帯メールを使用し、前記Ｗｅｂサイト開設手段によって開設された特定のエンドユーザーのドメイン名に対応するＷｅｂサイトのＷｅｂページを編集するＷｅｂページ第２編集手段を含み、前記Ｗｅｂサイト第２出力手段では、編集したＷｅｂページを含むＷｅｂサイトをインターネットを通じて出力する請求項１ないし請求項５いずれかに記載のＷｅｂサイト作成システム。
【請求項７】
前記Ｗｅｂサイト作成システムが、前記システムにログインしたそれらエンドユーザー携帯電話から送信されたＷｅｂページの削除要求により、前記Ｗｅｂサイト開設手段によって開設された特定のエンドユーザーのドメイン名に対応するＷｅｂサイトの削除対象のＷｅｂページを削除するＷｅｂページ第２削除手段を含む請求項１ないし請求項６いずれかに記載のＷｅｂサイト作成システム。
【請求項８】
前記Ｗｅｂページ第２編集手段では、前記エンドユーザー登録ＵＲＬを使用してこのシステムにログインしつつＷｅｂサイトのＷｅｂページを編集し、前記Ｗｅｂページ第２削除手段では、前記エンドユーザー登録ＵＲＬを使用してこのシステムにログインしつつ削除対象のＷｅｂページを削除する請求項６または請求項７に記載のＷｅｂサイト作成システム。
【請求項９】
前記Ｗｅｂサイト作成システムが、前記ドメイン名登録手段によってドメイン名が登録された場合、それらドメイン名に対する料金をそれら中間ユーザー携帯電話とそれらエンドユーザー携帯電話との少なくとも一方に課金するドメイン名課金手段を含む請求項１ないし請求項８いずれかに記載のＷｅｂサイト作成システム。
【請求項１０】
前記Ｗｅｂサイト作成システムが、前記ドメイン名登録手段を介して既に登録されている複数のドメイン名を前記中間ユーザー登録ＵＲＬを使用してこのシステムにログインしたそれら中間ユーザー携帯電話に表示する既登録ドメイン名表示手段を含む請求項１ないし請求項９いずれかに記載のＷｅｂサイト作成システム。
【請求項１１】
前記Ｗｅｂサイト作成システムが、それら中間ユーザー携帯電話が特定のドメイン名にアクセスしたときに、そのドメイン名とは異なる別のＵＲＬにアクセス先を変更するアクセス先変更手段を含む請求項１ないし請求項１０いずれかに記載のＷｅｂサイト作成システム。
【請求項１２】
前記Ｗｅｂサイト作成システムが、既に登録されている複数のドメイン名のいずれかを前記中間ユーザー登録ＵＲＬを使用してこのシステムにログインしたそれら中間ユーザー携帯電話において削除する既登録ドメイン名削除手段を含む請求項１ないし請求項１１いずれかに記載のＷｅｂサイト作成システム。
【請求項１３】
前記Ｗｅｂサイト作成システムが、前記エンドユーザー登録手段によって登録されたエンドユーザーの登録を前記中間ユーザー携帯電話を使用して削除するエンドユーザー登録削除手段を含む請求項１ないし請求項１２いずれかに記載のＷｅｂサイト作成システム。
【発明の詳細な説明】
【技術分野】
【０００１】
本発明は、各種複数のＷｅｂサイトを開設し、開設したそれらＷｅｂサイトのＷｅｂページを作成するＷｅｂサイト作成システムに関する。
【背景技術】
【０００２】
ＷｅｂサイトにＵＲＬを送信するＵＲＬ送信手段と、そのＷｅｂサイトのページデータを取得する取得手段と、取得したページデータを携帯電話に表示可能なように変換する変換手段と、変換されたページデータによってＷｅｂサイトのページを表示する表示手段とを有するＷｅｂサイトにアクセスするための携帯電話がある（特許文献１参照）。
【０００３】
この携帯電話の使用者が携帯電話からＷｅｂサイトを閲覧する場合、携帯電話本体からアクセスしようとするＷｅｂサイトのＵＲＬを入力し、Ｗｅｂサイトヘアクセスする。指定されたＷｅｂサイトのページデータがＷｅｂサイトから携帯電話に送信され、携帯電話がそのページデータを取得する。携帯電話は、取得したデータをページ情報スタックエリアに格納しつつ、取得したページが表示可能なページであるかを判定する。その判定によって携帯電話固有の機能により、表示可能なＷｅｂサイトであれば、そのページを表示部に表示し、表示が不可能なページであれば変換装置により表示可能な形式に変換した後、表示部にそのページを表示する。この携帯電話は、インターネットにおいて提供されているＷｅｂサイトにアクセス可能であり、そのＷｅｂサイトのページを表示することができる。
【先行技術文献】
【特許文献】
【０００４】
【特許文献１】特開２００３−２９６２３３号公報
【発明の概要】
【発明が解決しようとする課題】
【０００５】
前記特許文献１に開示の携帯電話は、それを利用して複数のドメイン名を取得することはできず、それらドメイン名に対応するＷｅｂサイトを開設することができない。また、携帯電話から携帯メールを投稿しつつその携帯メールからＷｅｂサイトのＷｅｂページを作成することはできず、さらに、Ｗｅｂページを含むそれらＷｅｂサイトをインターネットを通じて出力することはできない。
【０００６】
本発明の目的は、携帯電話を利用して各種複数のＷｅｂサイトを開設することができ、開設したそれらＷｅｂサイトのＷｅｂページを作成することができるＷｅｂサイト作成システムを提供することにある。
【課題を解決するための手段】
【０００７】
前記課題を解決するための本発明の前提は、各種複数のＷｅｂサイトを開設し、開設したそれらＷｅｂサイトのＷｅｂページを作成するＷｅｂサイト作成システムである。
【０００８】
前記前提における本発明の特徴は、Ｗｅｂサイト作成システムが、複数のエンドユーザーを紹介するための各Ｗｅｂサイトを開設可能な複数の中間ユーザーの各中間ユーザー携帯電話から所定のメールアドレス宛に携帯メールを送信させるメール送信第１要求手段と、中間ユーザー携帯電話のメールアドレスを使用して各中間ユーザー携帯電話にそれらのメールアドレスに対応する中間ユーザー登録ＵＲＬを送信するＵＲＬ第１送信手段と、メール送信第１要求手段によってそれら中間ユーザー携帯電話から携帯メールが送信された場合、それら中間ユーザー携帯電話の各メールアドレスを登録するメールアドレス第１登録手段と、中間ユーザー登録ＵＲＬを使用してこのシステムにログインしたそれら中間ユーザー携帯電話を使用し、事前に登録された各ドメイン名に対応する複数のＷｅｂサイトを開設するとともに、中間ユーザー登録ＵＲＬを使用してこのシステムにログインしたそれら中間ユーザー携帯電話から送信された投稿用メールアドレスおよび識別子を中間ユーザー携帯電話のメールアドレスに関連付けた状態で登録するＷｅｂサイト開設手段と、中間ユーザー登録ＵＲＬを使用してこのシステムにログインしたそれら中間ユーザー携帯電話から送信された携帯メールを使用し、各ドメイン名に対応するそれらＷｅｂサイトのＷｅｂページを作成するＷｅｂページ第１作成手段と、Ｗｅｂページ第１作成手段によって作成したＷｅｂページを含むＷｅｂサイトをインターネットを通じて出力するＷｅｂサイト第１出力手段と、自己を紹介するための特定のＷｅｂサイトを作成可能な複数のエンドユーザーのそれらエンドユーザー携帯電話から投稿用メールアドレス宛に携帯メールを送信させるメール送信第２要求手段と、メール送信第２要求手段によってそれらエンドユーザー携帯電話から携帯メールが送信されたときにそれらエンドユーザー携帯電話の各メールアドレスを登録するメールアドレス第２登録手段と、このシステムにログインしたそれらエンドユーザー携帯電話から送信された携帯メールを使用し、Ｗｅｂサイト開設手段によって開設された特定のエンドユーザーのドメイン名に対応するＷｅｂサイトのＷｅｂページを作成するＷｅｂページ第２作成手段と、Ｗｅｂページ第２作成手段によって作成したＷｅｂページを含むＷｅｂサイトをインターネットを通じて出力するＷｅｂサイト第２出力手段とを有することにある。
【０００９】
本発明の一例としては、Ｗｅｂサイト作成システムが、中間ユーザー登録ＵＲＬを使用してこのシステムにログインしたそれら中間ユーザー携帯電話からドメイン名が申請された場合、それらドメイン名を中間ユーザー携帯電話のメールアドレスに関連付けた状態で登録するドメイン名登録手段を含む。
【００１０】
本発明の他の一例としては、Ｗｅｂサイト作成システムが、エンドユーザーのメールアドレスを使用して各エンドユーザー携帯電話にそれらのメールアドレスに対応するエンドユーザー登録ＵＲＬを送信するＵＲＬ第２送信手段と、エンドユーザー登録ＵＲＬと識別子とを使用してエンドユーザーをこのシステムに登録させるエンドユーザー登録手段とを含み、Ｗｅｂページ第２作成手段では、エンドユーザー登録手段によって登録済のエンドユーザーがこのシステムにログイン可能かつ前記ＷｅｂサイトのＷｅｂページを作成可能である。
【００１１】
本発明の他の一例としては、Ｗｅｂサイト作成システムが、このシステムにログインしたそれら中間ユーザー携帯電話から送信された携帯メールを使用し、各ドメイン名に対応するそれらＷｅｂサイトのＷｅｂページを編集するＷｅｂページ第１編集手段を含み、Ｗｅｂサイト第１出力手段では、編集したＷｅｂページを含むＷｅｂサイトをインターネットを通じて出力する。
【００１２】
本発明の他の一例としては、Ｗｅｂサイト作成システムが、このシステムにログインしたそれら中間ユーザー携帯電話から送信されたＷｅｂページの削除要求により、各ドメイン名に対応するＷｅｂサイトの削除対象のＷｅｂページを削除するＷｅｂページ第１削除手段を含む。
【００１３】
本発明の他の一例としては、Ｗｅｂサイト作成システムが、このシステムにログインしたそれらエンドユーザー携帯電話から送信された携帯メールを使用し、Ｗｅｂサイト開設手段によって開設された特定のエンドユーザーのドメイン名に対応するＷｅｂサイトのＷｅｂページを編集するＷｅｂページ第２編集手段を含み、Ｗｅｂサイト第２出力手段では、編集したＷｅｂページを含むＷｅｂサイトをインターネットを通じて出力する。
【００１４】
本発明の他の一例としては、Ｗｅｂサイト作成システムが、このシステムにログインしたそれらエンドユーザー携帯電話から送信されたＷｅｂページの削除要求により、Ｗｅｂサイト開設手段によって開設された特定のエンドユーザーのドメイン名に対応するＷｅｂサイトの削除対象のＷｅｂページを削除するＷｅｂページ第２削除手段を含む。
【００１５】
本発明の他の一例として、Ｗｅｂページ第２編集手段では、エンドユーザー登録ＵＲＬを使用してこのシステムにログインしつつＷｅｂサイトのＷｅｂページを編集し、Ｗｅｂページ第２削除手段では、エンドユーザー登録ＵＲＬを使用してこのシステムにログインしつつ削除対象のＷｅｂページを削除する。
【００１６】
本発明の他の一例としては、Ｗｅｂサイト作成システムが、ドメイン名登録手段によってドメイン名が登録された場合、それらドメイン名に対する料金をそれら中間ユーザー携帯電話とそれらエンドユーザー携帯電話との少なくとも一方に課金するドメイン名課金手段を含む。
【００１７】
本発明の他の一例としては、Ｗｅｂサイト作成システムが、ドメイン名登録手段を介して既に登録されている複数のドメイン名を中間ユーザー登録ＵＲＬを使用してこのシステムにログインしたそれら中間ユーザー携帯電話に表示する既登録ドメイン名表示手段を含む。
【００１８】
本発明の他の一例としては、Ｗｅｂサイト作成システムが、それら中間ユーザー携帯電話が特定のドメイン名にアクセスしたときに、そのドメイン名とは異なる別のＵＲＬにアクセス先を変更するアクセス先変更手段を含む。
【００１９】
本発明の他の一例としては、Ｗｅｂサイト作成システムが、既に登録されている複数のドメイン名のいずれかを中間ユーザー登録ＵＲＬを使用してこのシステムにログインしたそれら中間ユーザー携帯電話において削除する既登録ドメイン名削除手段を含む。
【００２０】
本発明の他の一例としては、Ｗｅｂサイト作成システムが、エンドユーザー登録手段によって登録されたエンドユーザーの登録を中間ユーザー携帯電話を使用して削除するエンドユーザー登録削除手段を含む。
【発明の効果】
【００２１】
本発明にかかるＷｅｂサイト作成システムによれば、各中間ユーザー携帯電話を使用し、事前に登録された各ドメイン名に対応する複数のＷｅｂサイトを開設するとともに、各中間ユーザー携帯電話から送信された携帯メールを使用し、各ドメイン名に対応するそれらＷｅｂサイトのＷｅｂページを作成することができるから、中間ユーザーの携帯電話を介して簡単かつ速やかにＷｅｂサイトを開設することができるとともに、中間ユーザーの携帯電話を介して簡単かつ速やかにＷｅｂサイトのＷｅｂページを作成することができる。Ｗｅｂサイト作成システムは、各中間ユーザー携帯電話を使用して複数のエンドユーザーを紹介するための各ＷｅｂサイトのＷｅｂページを作成するから、複数のエンドユーザーの商品や役務についてＷｅｂページを通じて広範囲にアピールすることができるとともに、そのＷｅｂサイトのエンドユーザー自身による利用を促進することができる。Ｗｅｂサイト作成システムは、中間ユーザー携帯電話によって作成されたＷｅｂページを含むＷｅｂサイトがインターネットを通じて出力されるから、複数のエンドユーザーの商品や役務についての情報をインターネットを通じて全世界に伝えることができる。
【００２２】
Ｗｅｂサイト作成システムは、中間ユーザーの各中間ユーザー携帯電話から所定のメールアドレス宛に携帯メールを送信させ、中間ユーザーのメールアドレスを使用して各中間ユーザー携帯電話にそれらのメールアドレスに対応する中間ユーザー登録ＵＲＬを送信するから、その中間ユーザー携帯電話のメールアドレスを確実に登録することができ、その中間ユーザー登録ＵＲＬを使用してシステムに円滑にログインさせることができる。Ｗｅｂサイト作成システムは、中間ユーザー登録ＵＲＬを使用してログインした各中間ユーザー携帯電話を利用し、ドメイン名に対応する複数のＷｅｂサイトを開設することができ、各中間ユーザー携帯電話から送信された携帯メールを使用し、各ドメイン名に対応するそれらＷｅｂサイトのＷｅｂページを作成することができる。Ｗｅｂサイト作成システムは、中間ユーザーの携帯電話を介して簡単かつ速やかにＷｅｂサイトを開設することができるとともに、中間ユーザーの携帯電話を介して簡単かつ速やかにＷｅｂサイトのＷｅｂページを作成することができる。
【００２３】
Ｗｅｂサイト作成システムは、このシステムにログインしたそれら中間ユーザー携帯電話から送信された投稿用メールアドレスおよび識別子を中間ユーザー携帯電話のメールアドレスに関連付けた状態で登録するから、各ドメイン名に対応するそれらＷｅｂサイトのＷｅｂページを作成することができ、中間ユーザーの携帯電話を介して簡単かつ速やかにＷｅｂサイトのＷｅｂページを作成することができる。Ｗｅｂサイト作成システムは、中間ユーザー携帯電話のメールアドレスに関連付けた識別子を登録することで、その識別子を利用して中間ユーザー携帯電話を特定することができ、識別子によって各中間ユーザー携帯電話にこのシステムへのアクセス権限を付与することができる。
【００２４】
Ｗｅｂサイト作成システムは、複数のエンドユーザーのエンドユーザー携帯電話から投稿用メールアドレス宛に携帯メールを送信させ、それらエンドユーザー携帯電話から携帯メールが送信されたときにそれらエンドユーザー携帯電話の各メールアドレスを登録し、それらエンドユーザー携帯電話から送信された携帯メールを使用し、特定のエンドユーザーのドメイン名に対応するＷｅｂサイトのＷｅｂページを作成するとともに、作成したＷｅｂページを含むＷｅｂサイトをインターネットを通じて出力するから、各ドメイン名に対応する複数のＷｅｂサイトを開設するとともに、エンドユーザー携帯電話から送信された携帯メールを使用し、特定のドメイン名に対応するＷｅｂサイトのＷｅｂページを作成することができ、エンドユーザーの携帯電話を介して簡単かつ速やかにＷｅｂサイトのＷｅｂページを作成することができる。Ｗｅｂサイト作成システムは、エンドユーザー携帯電話を使用して特定のエンドユーザーを紹介するための各ＷｅｂサイトのＷｅｂページを作成するから、作成したＷｅｂページを通じて特定のエンドユーザーの商品や役務を広範囲にアピールすることができるとともに、作成されたＷｅｂページを含むＷｅｂサイトがインターネットを通じて出力されるから、そのエンドユーザーの商品や役務についての情報をインターネットを通じて全世界に伝えることができる。Ｗｅｂサイト作成システムは、エンドユーザー携帯電話から所定のメールアドレス宛に携帯メールを送信させることで、そのエンドユーザー携帯電話のメールアドレスを確実に登録することができる。
【００２５】
中間ユーザー登録ＵＲＬを使用してこのシステムにログインしたそれら中間ユーザー携帯電話からドメイン名が申請された場合、それらドメイン名を中間ユーザー携帯電話のメールアドレスに関連付けた状態で登録するＷｅｂサイト作成システムは、複数のドメイン名を中間ユーザー携帯電話を利用してシステムに登録することができ、それらドメイン名に対応する複数のＷｅｂサイトを開設することができるとともに、各中間ユーザー携帯電話から送信された携帯メールを使用し、各ドメイン名に対応するそれらＷｅｂサイトのＷｅｂページを作成することができる。Ｗｅｂサイト作成システムは、中間ユーザーの携帯電話を介して簡単かつ速やかにＷｅｂサイトを開設することができるとともに、中間ユーザーの携帯電話を介して簡単かつ速やかにＷｅｂサイトのＷｅｂページを作成することができる。
【００２６】
エンドユーザーのメールアドレスを使用して各エンドユーザー携帯電話にそれらのメールアドレスに対応するエンドユーザー登録ＵＲＬを送信し、エンドユーザー登録ＵＲＬと識別子とを使用してエンドユーザーをこのシステムに登録させるＷｅｂサイト作成システムは、このシステムに登録する条件としてエンドユーザー登録ＵＲＬと識別子とを利用することで、エンドユーザーの不正な登録を防ぐことができる。Ｗｅｂサイト作成システムは、メールアドレスに対応するエンドユーザー登録ＵＲＬを送信することで、そのエンドユーザー登録ＵＲＬを使用してエンドユーザー携帯電話をシステムに円滑にログインさせることができる。Ｗｅｂサイト作成システムは、エンドユーザー登録ＵＲＬと識別子とを利用して登録したエンドユーザー携帯電話から送信された携帯メールを使用し、特定の各ドメイン名に対応するＷｅｂサイトのＷｅｂページを簡単かつ速やかに作成することができる。
【００２７】
中間ユーザー携帯電話から送信された携帯メールを使用し、各ドメイン名に対応するそれらＷｅｂサイトのＷｅｂページを編集するＷｅｂサイト作成システムは、中間ユーザーが中間ユーザー携帯電話を使用して各ドメイン名に対応するそれらＷｅｂサイトのＷｅｂページを編集することができるから、中間ユーザー携帯電話を介してＷｅｂページを編集しつつ魅力的なＷｅｂページを作ることができる。Ｗｅｂサイト作成システムは、各中間ユーザー携帯電話を使用して複数のエンドユーザーを紹介するための各ＷｅｂサイトのＷｅｂページを編集するから、編集したＷｅｂページを通じて複数のエンドユーザーの商品や役務を広範囲にアピールすることができるとともに、そのＷｅｂサイトのエンドユーザー自身による利用を促進することができる。Ｗｅｂサイト作成システムは、中間ユーザー携帯電話によって編集されたＷｅｂページを含むＷｅｂサイトがインターネットを通じて出力されるから、複数のエンドユーザーの商品や役務についての情報をインターネットを通じて全世界に伝えることができる。
【００２８】
中間ユーザー携帯電話から送信されたＷｅｂページの削除要求により、各ドメイン名に対応するＷｅｂサイトの削除対象のＷｅｂページを削除するＷｅｂサイト作成システムは、中間ユーザーが中間ユーザー携帯電話を使用して不必要なＷｅｂページを削除することができるから、中間ユーザー携帯電話を介して不必要なＷｅｂページを削除しつつ魅力的なＷｅｂページを作ることができる。
【００２９】
エンドユーザー携帯電話から送信された携帯メールを使用し、特定のエンドユーザーのドメイン名に対応するＷｅｂサイトのＷｅｂページを編集するＷｅｂサイト作成システムは、エンドユーザーがエンドユーザー携帯電話を使用して特定のドメイン名に対応するＷｅｂサイトのＷｅｂページを編集することができるから、エンドユーザー携帯電話を介してＷｅｂページを編集しつつ魅力的なＷｅｂページを作ることができる。Ｗｅｂサイト作成システムは、エンドユーザー携帯電話を使用して特定のエンドユーザーを紹介するための各ＷｅｂサイトのＷｅｂページを編集するから、編集したＷｅｂページを通じて特定のエンドユーザーの商品や役務を広範囲にアピールすることができるとともに、編集されたＷｅｂページを含むＷｅｂサイトがインターネットを通じて出力されるから、そのエンドユーザーの商品や役務についての情報をインターネットを通じて全世界に伝えることができる。
【００３０】
エンドユーザー携帯電話から送信されたＷｅｂページの削除要求により、特定のエンドユーザーのドメイン名に対応するＷｅｂサイトの削除対象のＷｅｂページを削除するＷｅｂサイト作成システムは、エンドユーザーがエンドユーザー携帯電話を使用して不必要なＷｅｂページを削除することができるから、エンドユーザー携帯電話を介して不必要なＷｅｂページを削除しつつ魅力的なＷｅｂページを作ることができる。
【００３１】
エンドユーザー登録ＵＲＬを使用してこのシステムにログインしつつＷｅｂサイトのＷｅｂページを編集し、エンドユーザー登録ＵＲＬを使用してこのシステムにログインしつつ削除対象のＷｅｂページを削除するＷｅｂサイト作成システムは、エンドユーザー登録ＵＲＬを使用してログインしたエンドユーザー携帯電話を利用し、各ドメイン名に対応するそれらＷｅｂサイトのＷｅｂページを編集することができるとともに、不必要なＷｅｂページを削除することができるから、エンドユーザーのエンドユーザー携帯電話を介してＷｅｂページを編集または削除しつつ魅力的なＷｅｂページを作ることができる。
【００３２】
ドメイン名登録手段によってドメイン名が登録された場合、それらドメイン名に対する料金をそれら中間ユーザー携帯電話とそれらエンドユーザー携帯電話との少なくとも一方に課金するＷｅｂサイト作成システムは、ドメイン名の登録によるドメイン名の使用料金を中間ユーザー携帯電話やエンドユーザー携帯電話に課金することで、ドメイン名の使用料金をそれら携帯電話から徴収することができ、徴収したドメイン名の使用料金を利用しつつ、ドメイン名を確実に管理することができ、ドメイン名の不当な使用を防ぐことができる。
【００３３】
ドメイン名登録手段を介して既に登録されている複数の既登録ドメイン名をそれら中間ユーザー携帯電話に表示するＷｅｂサイト作成システムは、既に登録されているドメイン名を確認することができ、同一のドメイン名の申請を事前に防ぐことができる。また、ドメイン名の傾向を知ることができ、それによって最適なドメイン名の決定することができる。
【００３４】
中間ユーザー携帯電話が特定のドメイン名にアクセスしたときに、そのドメイン名とは異なる別のＵＲＬにアクセス先を変更するＷｅｂサイト作成システムは、そのドメイン名に対応するＷｅｂサイトが開設されておらず、または、そのドメイン名に対応するＷｅｂサイトのＷｅｂページが作成されていない場合でも、異なる別のＵＲＬにアクセス先を変更することで、既に開設されたＷｅｂサイトの既に作成されたＷｅｂページをインターネットを通じて表示させることができる。また、既に別のＷｅｂサイトが開設されている場合、その別のＷｅｂサイトのＵＲＬにアクセス先を変更することで、そのドメイン名を使用しつつ既に作られている別のＷｅｂサイトを利用することができ、再度Ｗｅｂサイトを開設する手間を省くことができる。
【００３５】
既に登録されている複数のドメイン名のいずれかを中間ユーザー携帯電話において削除するＷｅｂサイト作成システムは、中間ユーザーが中間ユーザー携帯電話を使用して不必要なドメイン名を削除することができるから、中間ユーザー携帯電話を介して不必要なドメイン名を削除しつつドメイン名を整理することができる。また、誤ったドメイン名を登録した場合、そのドメイン名を削除することができる。
【００３６】
エンドユーザー登録手段によって登録されたエンドユーザーの登録を中間ユーザー携帯電話を使用して削除するユーザー登録削除手段を含むＷｅｂサイト作成システムは、このシステムの利用を希望しないエンドユーザーやこのシステムの利用を終了したいエンドユーザーの登録を削除することにより、そのエンドユーザーにとって不必要なＷｅｂサイトの開設や不必要なＷｅｂページの作成を防ぐことができる。
【図面の簡単な説明】
【００３７】
【図１】中間ユーザー携帯電話の登録手順の概念図。
【図２】中間ユーザー携帯電話の登録手続画面の一例を示す図。
【図３】図２から続く登録事項表示画面および手続続行画面を示す図。
【図４】ドメイン名登録手順の概念図。
【図５】ドメイン名登録画面の一例を示す図。
【図６】図５から続くドメイン名登録画面を示す図。
【図７】図６から続くドメイン名登録画面を示す図。
【図８】ドメイン名表示画面の一例を示す図。
【図９】リダイレクト未設定ドメイン名表示画面の一例を示す図。
【図１０】リダイレクト未設定ドメイン名個別表示画面の一例を示す図。
【図１１】リダイレクト設定済ドメイン名表示画面の一例を示す図。
【図１２】リダイレクト設定済ドメイン名個別表示画面の一例を示す図。
【図１３】リダイレクト設定画面の一例を示す図。
【図１４】図１３から続くリダイレクト設定画面を示す図。
【図１５】図１４から続くリダイレクト設定画面を示す図。
【図１６】図１５から続くリダイレクト設定画面を示す図。
【図１７】既登録ドメイン名削除画面の一例を示す図。
【図１８】図１７から続く既登録ドメイン名削除画面を示す図。
【図１９】図１８から続く既登録ドメイン名削除画面を示す図。
【図２０】図１９から続く既登録ドメイン名削除画面を示す図。
【図２１】中間ユーザー携帯電話の登録手順の他の一例を示す概念図。
【図２２】中間ユーザー携帯電話の登録手続画面の他の一例を示す図。
【図２３】図２２から続く登録事項表示画面および手続続行画面を示す図。
【図２４】Ｗｅｂサイト開設手順およびＷｅｂページ作成手順の概念図。
【図２５】携帯Ｗｅｂ画面の一例を示す図。
【図２６】図２５から続くＷｅｂサイト開設画面を示す図。
【図２７】図２６から続くＷｅｂサイト開設画面を示す図。
【図２８】Ｗｅｂサイト一覧画面の一例を示す図。
【図２９】Ｗｅｂサイト表示画面の一例を示す図。
【図３０】管理メニュー画面の一例を示す図。
【図３１】Ｗｅｂページ作成画面の一例を示す図。
【図３２】完成したＷｅｂページ画面の一例を示す図。
【図３３】編集ページ選択画面の一例を示す図。
【図３４】Ｗｅｂページ編集画面の一例を示す図。
【図３５】ページ編集確認画面の一例を示す図。
【図３６】ページ編集完了画面の一例を示す図。
【図３７】Ｗｅｂページ削除画面の一例を示す図。
【図３８】ページ削除確認画面の一例を示す図。
【図３９】エンドユーザー携帯電話の登録手順の概念図。
【図４０】エンドユーザー携帯電話の登録手続画面の一例を示す図。
【図４１】エンドユーザー登録完了画面の一例を示す図。
【図４２】エンドユーザーのＷｅｂページ画面の一例を示す図。
【図４３】エンドユーザー登録削除画面の一例を示す図。
【図４４】エンドユーザー登録削除確認画面の一例を示す図。
【図４５】エンドユーザー登録削除完了画面の一例を示す図。
【発明を実施するための形態】
【００３８】
一例として示す中間ユーザー携帯電話１２の登録手順の概念図である図１等の添付の図面を参照し、本発明にかかるＷｅｂサイト作成システムの詳細を説明すると、以下のとおりである。なお、図２は、中間ユーザー携帯電話１２の登録手続画面の一例を示す図であり、図３は、図２から続く登録事項表示画面および手続続行画面を示す図である。図１〜図３では、第１コンピュータ１０における中間ユーザー携帯電話１２の登録手順を示す。図１では、携帯電話１２を１つだけ図示しているが、実際のシステムには複数の携帯電話１２が存在し、それら携帯電話１２と第１コンピュータ１０との間において携帯メールの送受信が行われる。図２，３では、各入力エリアや各表示エリアに表示されるデータの図示を省略している。
【００３９】
Ｗｅｂサイト作成システムは、各種複数のＷｅｂサイトを開設し、開設したそれらＷｅｂサイトの各種複数のＷｅｂページを作成する。Ｗｅｂサイト作成システムは、システム運営者に設置されてドメイン名の登録および登録料の課金を行う第１コンピュータ１０（サーバ）（図１参照）と、システム運営者またはシステム運営者から委託された指定事業者に設置されてＷｅｂサイトの開設およびＷｅｂページの作成を行う第２コンピュータ１１（サーバ）（図２１参照）と、中間ユーザーが保持する複数の中間ユーザー携帯電話１２（図１参照）と、エンドユーザーが保有する複数のエンドユーザー携帯電話１３（図２１参照）とから形成されている。
【００４０】
システム運営者は、ドメイン名を付与する権限を有し、ドメイン名を適正に管理することにより、ドメイン名の不正な設定や不正な使用を防止する。指定事業者は、このシステムをエンドユーザーに紹介する営業活動を行う。中間ユーザーは、指定事業者の社員であり、複数のエンドユーザーの商品や役務を紹介するための各Ｗｅｂサイトを開設する権限を有する。エンドユーザーは、このシステムを利用する顧客であり、自己の商品や役務を紹介するための特定のＷｅｂサイトを作成することができる。
【００４１】
中間ユーザーにはこのシステムの管理者やシステムの仕組みをエンドユーザーに売り込む指定事業者の営業担当者等を例示することができるが、中間ユーザーは管理者や営業担当者に限定されず、このシステムに関連するあらゆる中間ユーザーが含まれる。エンドユーザーにはＷｅｂサイトのＷｅｂページを用いて商品や役務の各情報を伝える店舗の店主や従業者等を例示することができるが、エンドユーザーは店主や従業者に限定されず、このシステムにおいて作成されるＷｅｂサイトのＷｅｂページを利用するあらゆる顧客が含まれる。
【００４２】
第１および第２コンピュータ１０，１１は、中央処理部（ＣＰＵまたはＭＰＵ）とメモリとを備え、ＤＮＳサーバ機能、データベースサーバ機能、Ｗｅｂサーバ機能、メールサーバ機能を有する。それらコンピュータ１０，１１には、大容量ハードディスクが内蔵され、キーボードやマウス等の入力装置（図示せず）、ディスプレイやプリンタ等の出力装置（図示せず）がインターフェイスを介して接続されている。それらコンピュータ１０，１１は、インターネットに接続可能であり、インターネットを利用することで、他のサーバにアクセスかつログインすることができるとともに、各種情報をインターネットを通じて公開することができる。また、メールサーバ機能によって携帯電話から携帯メールを受信することができ、携帯電話に携帯メールを送信することができる。それらコンピュータ１０，１１のハードディスクには、後記する複数のログインＩＤおよび複数のモバイルパスワードと、ログインＩＤおよびモバイルパスワードに対応する事業者番号、事業者名、所属部課が格納されている。
【００４３】
第１コンピュータ１０の中央処理部は、オペレーティングシステムによる制御に基づいて、メモリに格納されたアプリケーションを起動し、起動したアプリケーションに従って、以下の各手段を実行する。中央処理部は、複数の中間ユーザーの各中間ユーザー携帯電話１２から所定のメールアドレス宛に携帯メールを送信させるメール送信第１要求手段を実行し、それら中間ユーザー携帯電話１２の各メールアドレスを登録するメールアドレス第１登録手段を実行する。中央処理部は、中間ユーザーのメールアドレスを使用して各中間ユーザー携帯電話１２にそれらのメールアドレスに対応する中間ユーザー登録ＵＲＬを送信するＵＲＬ第１送信手段を実行する。
【００４４】
第１コンピュータ１０の中央処理部は、このシステムにログインしたそれら中間ユーザー携帯電話１２から申請された複数のドメイン名を登録するドメイン名登録手段を実行し、ドメイン名登録手段によってドメイン名が登録された場合、それらドメイン名に対する料金をそれら中間ユーザー携帯電話１２とそれらエンドユーザー携帯電話１３との少なくとも一方に課金するドメイン名課金手段を実行する。中央処理部は、ドメイン名登録手段を介して既に登録されている複数のドメイン名をこのシステムにログインしたそれら中間ユーザー携帯電話１２に表示する既登録ドメイン名表示手段を実行し、既に登録されている複数のドメイン名のいずれかをこのシステムにログインしたそれら中間ユーザー携帯電話１２において削除する既登録ドメイン名削除手段を実行する。
【００４５】
第２コンピュータ１１の中央処理部は、オペレーティングシステムによる制御に基づいて、メモリに格納されたアプリケーションを起動し、起動したアプリケーションに従って、以下の各手段を実行する。中央処理部は、システムにログインしたそれら中間ユーザー携帯電話１２を使用し、事前に登録されたそれらドメイン名に対応する複数のＷｅｂサイトを開設するＷｅｂサイト開設手段を実行する。Ｗｅｂサイト開設手段では、中間ユーザー登録ＵＲＬを使用してこのシステムにログインしたそれら中間ユーザー携帯電話１２から送信された投稿用メールアドレスおよび識別子を登録する。中央処理部は、システムにログインしたそれら中間ユーザー携帯電話１２から送信された携帯メールを使用し、各ドメイン名に対応するそれらＷｅｂサイトのＷｅｂページを作成するＷｅｂページ第１作成手段を実行する。
【００４６】
第２コンピュータ１１の中央処理部は、システムにログインしたそれら中間ユーザー携帯電話１２から送信された携帯メールを使用し、各ドメイン名に対応するそれらＷｅｂサイトのＷｅｂページを編集するＷｅｂページ第１編集手段を実行し、システムにログインしたそれら中間ユーザー携帯電話１２から送信されたＷｅｂページの削除要求により、各ドメイン名に対応するＷｅｂサイトの削除対象のＷｅｂページを削除するＷｅｂページ第１削除手段を実行する。
【００４７】
第２コンピュータ１１の中央処理部は、それら中間ユーザー携帯電話１２が特定のドメイン名にアクセスしたときに、そのドメイン名とは異なる別のＵＲＬにアクセス先を転送するアクセス先転送手段を実行する。中央処理部は、Ｗｅｂページ第１作成手段によって作成したＷｅｂページを含むＷｅｂサイトをインターネットを通じて出力するＷｅｂサイト第１出力手段を実行する。Ｗｅｂサイト第１出力手段では、編集したＷｅｂページを含むＷｅｂサイトをインターネットを通じて出力する。
【００４８】
第２コンピュータ１１の中央処理部は、複数のエンドユーザーのそれらエンドユーザー携帯電話１３から投稿用メールアドレス宛に携帯メールを送信させるメール送信第２要求手段を実行し、それらエンドユーザー携帯電話１３の各メールアドレスを登録するメールアドレス第２登録手段を実行する。中央処理部は、エンドユーザーのメールアドレスを使用して各エンドユーザー携帯電話１３にそれらのメールアドレスに対応するエンドユーザー登録ＵＲＬを送信するＵＲＬ第２送信手段を実行し、所定の条件を満たしたエンドユーザーをこのシステムに登録させるエンドユーザー登録手段を実行する。中央処理部は、エンドユーザー登録手段によって登録されたエンドユーザーの登録を中間ユーザー携帯電話１２を使用して削除するユーザー登録削除手段を実行する。
【００４９】
第２コンピュータ１１の中央処理部は、エンドユーザー登録ＵＲＬを使用してこのシステムにログインしたそれらエンドユーザー携帯電話１３から送信された携帯メールを使用し、Ｗｅｂサイト開設手段によって開設された特定のエンドユーザーのドメイン名に対応するＷｅｂサイトのＷｅｂページを作成するＷｅｂページ第２作成手段を実行する。中央処理部は、システムにログインしたそれらエンドユーザー携帯電話１３から送信された携帯メールを使用し、Ｗｅｂサイト開設手段によって開設された特定のエンドユーザーのドメイン名に対応するＷｅｂサイトのＷｅｂページを編集するＷｅｂページ第２編集手段を実行する。
【００５０】
第２コンピュータ１１の中央処理部は、システムにログインしたそれらエンドユーザー携帯電話１３から送信されたＷｅｂページの削除要求により、Ｗｅｂサイト開設手段によって開設された特定のエンドユーザーのドメイン名に対応するＷｅｂサイトの削除対象のＷｅｂページを削除するＷｅｂページ第２削除手段を実行する。中央処理部は、Ｗｅｂページ第２作成手段によって作成したＷｅｂページを含むＷｅｂサイトをインターネットを通じて出力するＷｅｂサイト第２出力手段を実行する。Ｗｅｂサイト第２出力手段では、編集したＷｅｂページを含むＷｅｂサイトをインターネットを通じて出力する。なお、第２コンピュータ１１が実行する前記各手段を第１コンピュータ１０に実行させることもできる。
【００５１】
中間ユーザー携帯電話１２やエンドユーザー携帯電話１３には、中央処理部（ＣＰＵまたはＭＰＵ）とメモリとを備えたコンピュータ（図示せず）が内蔵されている。携帯電話１２，１３は、それらに内蔵されたコンピュータを介してメモリ機能、ＤＮＳサーバ機能、データベースサーバ機能、Ｗｅｂサーバ機能、携帯メールサーバ機能を実行する。携帯電話１２，１３は、インターネットに接続可能であり、インターネットを利用することで、第１および第２コンピュータ１０，１１（システム）にアクセスかつログインすることができる。
【００５２】
図１〜図３に基づいて、第１コンピュータ１０における中間ユーザー携帯電話１２の登録手順を説明すると、以下のとおりである。なお、中間ユーザー携帯電話１２のシステムへの登録は、同一の携帯電話であれば一度だけ行えばよく、登録手続を複数回行う必要はない。コンピュータ１０は、中間ユーザー携帯電話１２から所定のメールアドレス宛（第１コンピュータ１０の携帯メールサーバのアドレス）に携帯メール（空メール）を送信させる（メール送信第１要求手段）。中間ユーザーは、中間ユーザー携帯電話１２から指定されたメールアドレス宛に携帯メール（空メール）を送信する。コンピュータ１０には、中間ユーザー携帯電話１２のメールアドレスと中間ユーザー携帯電話１２を特定する中間ユーザー携帯電話識別番号とが送信される。
【００５３】
中間ユーザー携帯電話１２からコンピュータ１０に携帯メールが送信されると、第１コンピュータ１０は、それら中間ユーザー携帯電話１２の各メールアドレスをハードディスクに登録（格納）するとともに、それら中間ユーザー携帯電話１２の中間ユーザー携帯電話識別番号をハードディスクに登録（格納）する（メールアドレス第１登録手段）。コンピュータ１０は、中間ユーザー携帯電話１２のメールアドレスを中間ユーザー携帯電話識別番号に関連付けた状態でハードディスクに格納する。
【００５４】
中間ユーザー携帯電話１２のメールアドレスと中間ユーザー携帯電話識別番号とをハードディスクに格納した後、第１コンピュータ１０は、各中間ユーザー携帯電話１２のメールアドレスに対応する中間ユーザー登録ＵＲＬ（第１コンピュータログイン用ＵＲＬ）を生成し、生成した各中間ユーザー登録ＵＲＬを中間ユーザー携帯電話１２のメールアドレスと中間ユーザー携帯電話識別番号とに関連付けた状態でハードディスクに格納する。中間ユーザー登録ＵＲＬをハードディスクに格納した後、コンピュータ１０は、中間ユーザー携帯電話１２のメールアドレスを使用し、生成した中間ユーザー登録ＵＲＬを中間ユーザー携帯電話１２に送信する（ＵＲＬ第１送信手段）。
【００５５】
携帯メールを送信した中間ユーザーの中間ユーザー携帯電話１２には、コンピュータ１０から中間ユーザー登録ＵＲＬを表示した携帯メールが届く。中間ユーザー登録ＵＲＬを受信した中間ユーザーは、ディスプレイ１４に表示された中間ユーザー登録ＵＲＬをクリックすることで、第１コンピュータ１０（システム）にログインすることができる。中間ユーザー携帯電話１２のディスプレイ１４に表示されたＵＲＬをクリックすると、その中間ユーザー携帯電話１２がコンピュータ１０（システム）にログインし、携帯電話１２のディスプレイ１４に図２に示す携帯電話登録画面が表示される。
【００５６】
図２の携帯電話登録画面には、ログインＩＤ入力エリア２ａ、モバイルパスワード入力エリア２ｂ、備考入力エリア２ｃ、次に進むボタン２ｄが表示される。中間ユーザーは、ログインＩＤ入力エリア２ａに任意のログインＩＤを入力し、モバイルパスワード入力エリア２ｂに任意のパスワードを入力するとともに、必要ならば備考入力エリア２ｃに備考を入力した後、次に進むボタン２ｄをクリックする。備考エリア入力２ｃには、部署名や中間ユーザーの氏名等（たとえば、管理者や営業担当者の氏名）を入力する。
【００５７】
それら入力エリア２ａ〜２ｃに各登録データを入力して次に進むボタン２ｄをクリックすると、それら入力エリア２ａ〜２ｃに入力された各登録データがコンピュータ１０に送信される。第１コンピュータ１０は、ハードディスクに格納されたログインＩＤおよびモバイルパスワードに送信されたログインＩＤおよびモバイルパスワードを当て嵌め、該当するログインＩＤおよびモバイルパスワードに対応した事業者番号および事業者名をハードディスクから取り出し、取り出した事業者番号および事業者名と入力された部署名および中間ユーザーの氏名とを中間ユーザー携帯電話１２に送信する。
【００５８】
中間ユーザー携帯電話１２のディスプレイ１４には、図３（ａ）に示すように、登録事項表示画面が表示される。登録事項表示画面には、事業者番号を表示した事業者番号表示エリア３ａ、事業者名を表示した事業者名表示エリア３ｂ、部署名を表示した部署名表示エリア３ｃ、中間ユーザーの氏名を表示した中間ユーザー氏名表示エリア３ｄ、登録ボタン３ｅ、キャンセルボタン３ｆが表示される。キャンセルボタン３ｆをクリックすると、このシステムからログアウトする。
【００５９】
中間ユーザーは、それら表示エリアに表示された事業者番号、事業者名、部署名、中間ユーザーの氏名を確認し、変更等がない場合、登録ボタン３ｅをクリックする。登録ボタン３ｅをクリックすると、ユーザーデータ登録信号が中間ユーザー携帯電話１２からコンピュータ１０に送信される。第１コンピュータ１０は、事業者番号、事業者名、所属部課、部署名、中間ユーザーの氏名を中間ユーザー携帯電話識別番号に関連付けた状態でハードディスクに格納する（中間ユーザーデータ格納手段）。コンピュータ１０は、それらを格納した後、図３（ｂ）に示す以後の手続を続けるための手続続行画面を中間ユーザー携帯電話１２のディスプレイ１４に表示する。
【００６０】
図３（ｂ）の手続続行画面には、携帯電話１２の登録完了メッセージ、登録完了メール送信メッセージ、すぐに利用ボタン３ｇ、あとで利用ボタン３ｈが表示される。手続を一端終了する場合は、あとで利用ボタン３ｈをクリックする。あとで利用ボタン３ｈをクリックすると、このシステムからログアウトする。そのまま手続を続行する場合は、すぐに利用ボタン３ｇをクリックする。
【００６１】
図４は、一例として示すドメイン名登録手順の概念図であり、図５は、ドメイン名登録画面の一例を示す図である。図６は、図５から続くドメイン名登録画面を示す図であり、図７は、図６から続くドメイン名登録画面を示す図である。図５〜図７では、各入力エリアや各表示エリアに表示されるデータの図示を省略している。
【００６２】
図３（ｂ）の手続続行画面においてすぐに利用ボタン３ｇをクリックすると、第１コンピュータ１０は、図５（ａ）に示すドメイン名登録画面を中間ユーザー携帯電話１２のディスプレイ１４に表示する。なお、あとで利用ボタン３ｈをクリックした後、再び第１コンピュータ１０（システム）にログインするには、中間ユーザー携帯電話１２において第１コンピュータログイン用の中間ユーザー登録ＵＲＬを入力した後、ログインボタンをクリックする。ログインボタンをクリックすると、コンピュータ１０は、図５（ａ）に示すドメイン名登録画面を中間ユーザー携帯電話１２のディスプレイ１４に表示する。図５（ａ）のドメイン名登録画面には、ログインボタン５ａが表示される。
【００６３】
図５（ａ）のドメイン名登録画面において、ログインボタン５ａをクリックすると、第１コンピュータ１０は、図５（ｂ）のドメイン名登録画面を中間ユーザー携帯電話１２のディスプレイ１４に表示する。図５（ｂ）のドメイン名登録画面には、ドメイン名入力エリア５ｂ、次へボタン５ｃ、既登録ドメイン名表示ボタン５ｄ、リダイレクト設定ボタン５ｅ、既登録ドメイン名削除ボタン５ｆ、ログアウトボタン５ｇが表示される。ログアウトボタン５ｇをクリックすると、コンピュータ１０（システム）からログアウトする。ドメイン名を登録するには、図５（ｂ）のドメイン名登録画面において、ドメイン名入力エリア５ｂに任意のドメイン名を入力した後、次へボタン５ｃをクリックする。
【００６４】
次へボタン５ｃをクリックすると、第１コンピュータ１０は、図６のドメイン名登録画面を中間ユーザー携帯電話１２のディスプレイ１４に表示する。図６のドメイン名登録画面のドメイン名表示エリア６ａには、入力したドメイン名が表示される。中間ユーザーは、ドメイン名表示エリア６ａに表示されたドメイン名を確認した後、次へボタン６ｂをクリックする。なお、入力したドメイン名を登録しない場合、ログアウトボタン６ｆをクリックする。ログアウトボタン６ｆをクリックすると、このシステムからログアウトする。
【００６５】
図６のドメイン名登録画面においてドメイン名を確認した後、次へボタン６ｂをクリックすると、第１コンピュータ１０は、図７（ａ）または図７（ｂ）に示すドメイン名登録画面を中間ユーザー携帯電話１２のディスプレイ１４に表示する。図７（ａ）のドメイン名登録画面は、重複したドメイン名が存在せず、そのドメイン名の登録が可能な場合に表示される。図７（ｂ）のドメイン名登録画面は、重複したドメイン名が既に存在し、そのドメイン名の登録が不可の場合に表示される。
【００６６】
同一のドメイン名がハードディスクに存在しない場合、第１コンピュータ１０は、図７（ａ）のドメイン名登録画面を中間ユーザー携帯電話１２のディスプレイ１４に表示する。図７（ａ）のドメイン名登録画面には、入力されたドメイン名を表示したドメイン名表示エリア７ａ、ドメイン名登録メッセージ、ＯＫボタン７ｂ、キャンセルボタン７ｃ、メニューに戻るボタン７ｄが表示される。同一のドメイン名が既にハードディスクに格納されている場合、コンピュータ１０は、図７（ｂ）のドメイン名登録画面を中間ユーザー携帯電話１２のディスプレイ１４に表示する。図７（ｂ）のドメイン名登録画面には、ドメイン名使用（登録）済みメッセージ、入力されたドメイン名を表示したドメイン名表示エリア７ｅ、メニューに戻るボタン７ｆが表示される。図７（ｂ）のドメイン名登録画面においてメニューに戻るボタン７ｆをクリックすると、コンピュータ１０は、図５（ｂ）のドメイン名登録画面を中間ユーザー携帯電話１２のディスプレイ１４に表示する。
【００６７】
中間ユーザーは、ドメイン名表示エリア７ａに表示されたドメイン名を確認し、そのドメイン名に変更等がなく、ドメイン名を登録する場合、図７（ａ）のドメイン名登録画面のＯＫボタン７ｂをクリックする。なお、キャンセルボタン７ｃをクリックすると、第１コンピュータ１０は、そのドメイン名を登録することなく、図５（ｂ）のドメイン名登録画面を中間ユーザー携帯電話１２のディスプレイ１４に表示する。また、メニューに戻るボタン７ｄをクリックすると、コンピュータ１０は、ドメイン名を登録することなく、図５（ｂ）のドメイン名登録画面を中間ユーザー携帯電話１２のディスプレイ１４に表示する。キャンセルボタン７ｃやメニューに戻るボタン７ｄ，７ｆをクリックした後、ドメイン名の登録手続を初めからやり直す。
【００６８】
図７（ａ）のドメイン名登録画面においてＯＫボタン７ｂをクリックすると、ドメイン名登録信号が中間ユーザー携帯電話１２からコンピュータ１０に送信される。第１コンピュータ１０は、登録対象のドメイン名を中間ユーザー携帯電話識別番号に関連付けた状態でハードディスクに登録（格納）する（ドメイン名登録手段）。コンピュータ１０は、ドメイン名を格納した後、図７（ｃ）のドメイン名登録画面を中間ユーザー携帯電話１２のディスプレイ１４に表示する。図７（ｃ）のドメイン名登録画面には、登録したドメイン名を表示したドメイン名表示エリア７ｇ、ドメイン名登録完了メッセージ、メニューに戻るボタン７ｈが表示される。図７（ｃ）のドメイン名登録画面においてメニューに戻るボタン７ｈをクリックすると、コンピュータ１０は、図５（ｂ）のドメイン名登録画面を中間ユーザー携帯電話１２のディスプレイ１４に表示する。
【００６９】
中間ユーザーは、図５（ｂ）のドメイン名登録画面において複数のドメイン名を第１コンピュータ１０（システム）に登録することができる。ドメイン名が登録されると、登録されたドメイン名の対する使用料金をその中間ユーザー携帯電話番号１２に課金する（ドメイン名課金手段）。使用料金は、１つのドメイン名を登録する毎に発生する。携帯電話１２に課金されたドメイン名の使用料金は、携帯電話１２の利用料金に合算される。Ｗｅｂサイト作成システムは、ドメイン名の登録によるドメイン名の使用料金を中間ユーザー携帯電話１２に課金することで、ドメイン名の使用料金を携帯電話１２から徴収することができ、徴収したドメイン名の使用料金を利用しつつ、ドメイン名を確実に管理することができ、ドメイン名の不当な使用を防ぐことができる。
【００７０】
図８は、ドメイン名表示画面の一例を示す図であり、図９は、リダイレクト未設定ドメイン名表示画面の一例を示す図である。図１０は、リダイレクト未設定ドメイン名個別表示画面の一例を示す図である。図８〜図１０では、各入力エリアや各表示エリアに表示されるデータの図示を省略している。
【００７１】
図５（ｂ）のドメイン名登録画面において既登録ドメイン名表示ボタン５ｄをクリックすると、既登録ドメイン名表示信号が中間ユーザー携帯電話１２からコンピュータ１０に送信される。第１コンピュータ１０は、既登録ドメイン名表示信号を送信した中間ユーザー携帯電話１２の中間ユーザー携帯電話識別番号に対応する全ての既登録ドメイン名をハードディスクから抽出した後、図８に示すドメイン名表示画面をその中間ユーザー携帯電話１２のディスプレイ１４に表示する。
【００７２】
図８のドメイン名表示画面には、既登録ドメイン名の数を表示した既登録ドメイン名数表示エリア８ａ、後記するリダイレクトを未設定のドメイン名の数を表示したリダイレクト未設定ドメイン名数表示エリア８ｂ、リダイレクト未設定の各ドメイン名の登録年月日を表示したリダイレクト未設定ドメイン名登録年月日表示エリア８ｃ、リダイレクトを設定済のドメイン名の数を表示したリダイレクト設定済ドメイン名数表示エリア８ｄ、リダイレクト設定済の各ドメイン名の登録年月日を表示したダイレクト設定済ドメイン名登録年月日表示エリア８ｅ、メニューに戻るボタン８ｆが表示される。Ｗｅｂサイト作成システムは、既に登録されているドメイン名を確認することができ、同一のドメイン名の申請を事前に防ぐことができる。また、ドメイン名の傾向を知ることができ、それによって最適なドメイン名の決定することができる。
【００７３】
図８のドメイン名表示画面においてリダイレクト未設定ドメイン名数表示エリア８ｂをクリックすると、第１コンピュータ１０は、図９に示すリダイレクト未設定ドメイン名表示画面を中間ユーザー携帯電話１２のディスプレイ１４に表示する。リダイレクト未設定ドメイン名表示画面には、すべてのリダイレクト未設定ドメイン名の詳細が表示される。リダイレクト未設定ドメイン名表示画面には、ドメイン名、登録社名、所属部課、担当者名、登録年月日を表示したリダイレクト未設定ドメイン名表示エリア９ａ、戻るボタン９ｂ、メニューに戻るボタン９ｃが表示される。戻るボタン９ｂをクリックすると、図８のドメイン名表示画面に戻る。
【００７４】
図９のリダイレクト未設定ドメイン名表示画面においてリダイレクト未設定ドメイン名登録表示エリア９ａのいずれかをクリックすると、第１コンピュータ１０は、図１０に示すリダイレクト未設定ドメイン名個別表示画面を中間ユーザー携帯電話１２のディスプレイ１４に表示する。リダイレクト未設定ドメイン名個別表示画面には、個別に指定されたダイレクト未設定ドメイン名の詳細が表示される。リダイレクト未設定ドメイン名個別表示画面には、ドメイン名、登録社名、所属部課、担当者名、登録年月日を表示したリダイレクト未設定ドメイン名個別表示エリア１０ａ、戻るボタン１０ｂ、次へボタン１０ｃ、メニューに戻るボタン１０ｄが表示される。戻るボタン１０ｂをクリックすると、図８のドメイン名表示画面に戻る。次へボタン１０ｃをクリックすると、次のダイレクト未設定ドメイン名の詳細が表示される。
【００７５】
図１１は、リダイレクト設定済ドメイン名表示画面の一例を示す図であり、図１２は、リダイレクト設定済ドメイン名個別表示画面の一例を示す図である。図１１，１２では、各入力エリアや各表示エリアに表示されるデータの図示を省略している。図８のドメイン名表示画面においてリダイレクト設定済ドメイン名数表示エリア８ｄをクリックすると、第１コンピュータ１０は、図１１に示すリダイレクト設定済ドメイン名表示画面を中間ユーザー携帯電話１２のディスプレイ１４に表示する。リダイレクト設定済ドメイン名表示画面には、すべてのリダイレクト設定済ドメイン名の詳細が表示される。リダイレクト設定済ドメイン名表示画面には、ドメイン名、登録社名、所属部課、担当者名、登録年月日を表示したリダイレクト設定済ドメイン名表示エリア１１ａ、戻るボタン１１ｂ、メニューに戻るボタン１１ｃが表示される。戻るボタン１１ｂをクリックすると、図８のドメイン名表示画面に戻る。
【００７６】
図１１のリダイレクト設定済ドメイン名表示画面のリダイレクト設定済ドメイン名表示エリア１１ａのいずれかをクリックすると、第１コンピュータ１０は、図１２に示すリダイレクト設定済ドメイン名個別表示画面を中間ユーザー携帯電話１２のディスプレイ１４に表示する。リダイレクト設定済ドメイン名個別表示画面には、個別に指定されたダイレクト設定済ドメイン名の詳細が表示される。リダイレクト設定済ドメイン名個別表示画面には、ドメイン名、登録社名、所属部課、担当者名、登録年月日を表示したリダイレクト設定済ドメイン名個別表示エリア１２ａ、戻るボタン１２ｂ、次へボタン１２ｃ、メニューに戻るボタン１２ｄが表示される。戻るボタン１２ｂをクリックすると、図８のドメイン名表示画面に戻る。次へボタン１２ｃをクリックすると、次のダイレクト設定済ドメイン名の詳細が表示される。
【００７７】
図１３は、リダイレクト設定画面の一例を示す図であり、図１４は、図１３から続くリダイレクト設定画面を示す図である。図１５は、図１４から続くリダイレクト設定画面を示す図であり、図１６は、図１５から続くリダイレクト設定画面を示す図である。図１３〜図１６では、各入力エリアや各表示エリアに表示されるデータの図示を省略している。
【００７８】
図５（ｂ）のドメイン名登録画面においてリダイレクト設定ボタン５ｅをクリックすると、リダイレクト設定信号が中間ユーザー携帯電話１２からコンピュータ１０に送信される。第１コンピュータ１０は、図１３に示すリダイレクト設定画面をリダイレクト設定信号を送信した中間ユーザー携帯電話１２のディスプレイ１４に表示する。図１３のリダイレクト設定画面には、ドメイン名入力メッセージ、リダイレクトを設定する設定元ドメイン名を入力するドメイン名入力エリア１３ａ、次へボタン１３ｂ、メニューに戻るボタン１３ｃが表示される。
【００７９】
中間ユーザーは、中間ユーザー携帯電話１２を使用してドメイン名入力エリア１３ａにドメイン名を入力した後、次へボタン１３ｂをクリックする。次へボタン１３ｂをクリックすると、第１コンピュータ１０は、入力されたドメイン名がハードディスクに格納されているかを判断し、そのドメイン名が既にハードディスクに格納されている場合、図１４に示すリダイレクト設定画面をその中間ユーザー携帯電話１２のディスプレイ１４に表示する。ドメイン名がハードディスクに格納されていない場合、コンピュータ１０は、図示はしていないが、エラーメッセージを中間ユーザー携帯電話１２のディスプレイ１４に表示する。
【００８０】
図１４のリダイレクト設定画面には、図１３のリダイレクト設定画面において入力したドメイン名を表示したドメイン名表示エリア１４ａ、リダイレクト先ＵＲＬ入力メッセージ、リダイレクト先ＵＲＬ入力エリア１４ｂ、次へボタン１４ｃ、キャンセルボタン１４ｄ、メニューに戻るボタン１４ｅが表示される。ドメイン名表示エリア１４ａには、ドメイン名の他に、所属部課、担当者名、登録年月日が表示される。キャンセルボタン１４ｄをクリックすると、図１３のリダイレクト設定画面に戻る。
【００８１】
中間ユーザーは、中間ユーザー携帯電話１２を使用してリダイレクト先ＵＲＬ入力エリア１４ｂにリダイレクト先ＵＲＬを入力した後、次へボタン１４ｃをクリックする。次へボタン１４ｃをクリックすると、第１コンピュータ１０は、図１５に示すリダイレクト設定画面をその中間ユーザー携帯電話１２のディスプレイ１４に表示する。図１５のリダイレクト設定画面には、図１３のリダイレクト設定画面において入力したドメイン名を表示したドメイン名表示エリア１５ａ、リダイレクト設定メッセージ、図１４のリダイレクト設定画面において入力したリダイレクト先ＵＲＬを表示したリダイレクト先ＵＲＬ表示エリア１５ｂ、設定ボタン１５ｃ、キャンセルボタン１５ｄ、メニューに戻るボタン１５ｅが表示される。ドメイン名表示エリア１５ａには、ドメイン名の他に、所属部課、担当者名、登録年月日が表示される。キャンセルボタン１５ｄをクリックすると、図１３のリダイレクト設定画面に戻る。
【００８２】
中間ユーザーは、設定元ドメイン名およびリダイレクト先ＵＲＬを確認した後、リダイレクトを設定する場合、設定ボタン１５ｃをクリックする。設定ボタン１５ｃをクリックすると、第１コンピュータ１０は、リダイレクト先ＵＲＬを中間ユーザー電話識別番号に関連付けた状態でハードディスクに格納するとともに、設定元ドメイン名にそのリダイレクト先ＵＲＬを設定した状態でその設定元ドメイン名をハードディスクに格納する（アクセス先変更手段）。リダイレクト先ＵＲＬやリダイレクト先ＵＲＬを設定した設定元ドメイン名をハードディスクに格納した後、コンピュータ１０は、図１６に示すリダイレクト設定画面を中間ユーザー携帯電話１２のディスプレイ１４に表示する。図１６のリダイレクト設定画面には、設定元ドメイン名を表示したドメイン名表示エリア１６ａ、リダイレクト設定完了メッセージ、リダイヤル先ＵＲＬを表示したリダイヤル先ＵＲＬ表示エリア１６ｂ、メニューに戻るボタン１６ｃが表示される。
【００８３】
Ｗｅｂサイト作成システムは、そのドメイン名に対応するＷｅｂサイトが開設されておらず、または、そのドメイン名に対応するＷｅｂサイトのＷｅｂページが作成されていない場合でも、異なる別のＵＲＬにアクセス先を変更することで、既に開設されたＷｅｂサイトの既に作成されたＷｅｂページをインターネットを通じて公開させることができる。また、既に別のＷｅｂサイトが開設されている場合、その別のＷｅｂサイトのＵＲＬに変更することで、そのドメイン名を使用しつつ既に作られている別のＷｅｂサイトを利用することができ、再度Ｗｅｂサイトを開設する手間を省くことができる。
【００８４】
図１７は、既登録ドメイン名削除画面の一例を示す図であり、図１８は、図１７から続く既登録ドメイン名削除画面を示す図である。図１９は、図１８から続く既登録ドメイン名削除画面を示す図であり、図２０は、図１９から続く既登録ドメイン名削除画面を示す図である。図１７〜図２０では、各入力エリアや各表示エリアに表示されるデータの図示を省略している。
【００８５】
図５（ｂ）のドメイン名登録画面において既登録ドメイン名削除ボタン５ｆをクリックすると、既登録ドメイン名削除信号が中間ユーザー携帯電話１２からコンピュータ１０に送信される。第１コンピュータ１０は、図１７に示す既登録ドメイン名削除画面を既登録ドメイン名削除信号を送信した中間ユーザー携帯電話１２のディスプレイ１４に表示する。図１７の既登録ドメイン名削除画面には、
削除対象のドメイン名入力メッセージ、削除するドメイン名を入力するドメイン名入力エリア１７ａ、次へボタン１７ｂ、メニューに戻るボタン１７ｃが表示される。
【００８６】
中間ユーザーは、中間ユーザー携帯電話１２を使用してドメイン名入力エリア１７ａに削除するドメイン名を入力した後、次へボタン１７ｂをクリックする。次へボタン１７ｂをクリックすると、第１コンピュータ１０は、入力されたドメイン名がハードディスクに格納されているかを判断し、そのドメイン名が既にハードディスクに格納されている場合、図１８に示す既登録ドメイン名削除画面をその中間ユーザー携帯電話１２のディスプレイ１４に表示する。ドメイン名がハードディスクに格納されていない場合、コンピュータ１０は、図示はしていないが、エラーメッセージを中間ユーザー携帯電話１２のディスプレイ１４に表示する。
【００８７】
図１８の既登録ドメイン名削除画面には、図１７の既登録ドメイン名削除画面において入力したドメイン名を表示したドメイン名表示エリア１８ａ、登録削除メッセージ、次へボタン１８ｂ、キャンセルボタン１８ｃ、メニューに戻るボタン１８ｄが表示される。ドメイン名表示エリア１８ａには、ドメイン名の他に、所属部課、担当者名、登録年月日が表示される。キャンセルボタン１８ｃをクリックすると、図１７の既登録ドメイン名削除画面に戻る。
【００８８】
中間ユーザーは、ドメイン名表示エリアに表示されたドメイン名を確認した後、次へボタン１８ｂをクリックする。次へボタン１８ｂをクリックすると、第１コンピュータ１０は、図１９に示す既登録ドメイン名削除画面を中間ユーザー携帯電話１２のディスプレイ１４に表示する。図１９の既登録ドメイン名削除画面には、図１７の既登録ドメイン名削除画面において入力したドメイン名を表示したドメイン名表示エリア１９ａ、ドメイン名確認・削除メッセージ、削除ボタン１９ｂ、キャンセルボタン１９ｃ、メニューに戻るボタン１９ｄが表示される。ドメイン名表示エリア１９ａには、ドメイン名の他に、所属部課、担当者名、登録年月日が表示される。キャンセルボタン１９ｃをクリックすると、図１７の既登録ドメイン名削除画面に戻る。
【００８９】
中間ユーザーは、削除するドメイン名を再度確認した後、そのドメイン名を削除する場合、削除ボタン１９ｂをクリックする。削除ボタン１９ｂをクリックすると、第１コンピュータ１０は、ハードディスクに格納したドメイン名のうち、削除対象のドメイン名に終了フラグ（終了日時を含む）を設定し、終了フラグとともにそのドメイン名をハードディスクに格納する（既登録ドメイン名削除手段）。または、そのドメイン名をハードディスクから消去する（既登録ドメイン名削除手段）。
【００９０】
終了フラグとともに削除対象のドメイン名をハードディスクに格納した後、または、削除対象のドメイン名をハードディスクから消去した後、第１コンピュータ１０は、図２０に示す既登録ドメイン名削除画面を中間ユーザー携帯電話１２のディスプレイ１４に表示する。図２０の既登録ドメイン名削除画面には、削除したドメイン名を表示したドメイン名表示エリア２０ａ、既登録ドメイン名削除完了メッセージ、メニューに戻るボタン２０ｂが表示される。ドメイン名表示エリア２０ａには、ドメイン名の他に、所属部課、担当者名、登録年月日が表示される。Ｗｅｂサイト作成システムは、中間ユーザーが中間ユーザー携帯電話１２を使用して不必要なドメイン名を削除することができるから、中間ユーザー携帯電話１２を介して不必要なドメイン名を削除しつつドメイン名を整理することができる。また、誤ったドメイン名を登録した場合、そのドメイン名を削除することができる。
【００９１】
図２１は、中間ユーザー携帯電話１２の登録手順の他の一例を示す概念図であり、図２２は、中間ユーザー携帯電話１２の登録手続画面の他の一例を示す図である。図２３は、図２２から続く登録事項表示画面および手続続行画面を示す図である。図２１〜図２３では、第２コンピュータ１１における中間ユーザー携帯電話１２の登録手順を示す。図２１では、携帯電話１２を１つだけ図示しているが、実際のシステムには複数の携帯電話１２が存在し、それら携帯電話１２と第２コンピュータ１１との間において携帯メールの送受信が行われる。なお、図２２，２３では、各入力エリアや各表示エリアに表示されるデータの図示を省略している。
【００９２】
図２１〜図２３に基づいて、第２コンピュータ１１における中間ユーザー携帯電話１２の登録手順を説明すると、以下のとおりである。なお、中間ユーザー携帯電話１２のコンピュータ１１（システム）への登録は、同一の携帯電話１２であれば一度だけ行えばよく、登録手続を複数回行う必要はない。コンピュータ１１は、中間ユーザー携帯電話１２から所定のメールアドレス宛（第２コンピュータ１１の携帯メールサーバのアドレス）に携帯メール（空メール）を送信させる（メール送信第１要求手段）。中間ユーザーは、中間ユーザー携帯電話１２から指定されたメールアドレス宛に携帯メール（空メール）を送信する。コンピュータ１１には、中間ユーザー携帯電話１２のメールアドレスと中間ユーザー携帯電話１２を特定する中間ユーザー携帯電話識別番号とが送信される。
【００９３】
中間ユーザー携帯電話１２から第２コンピュータ１１に携帯メールが送信されると、コンピュータ１１は、それら中間ユーザー携帯電話１２の各メールアドレスをハードディスクに登録（格納）するとともに、それら中間ユーザー携帯電話１２の中間ユーザー携帯電話識別番号をハードディスクに登録（格納）する（メールアドレス第１登録手段）。コンピュータ１１は、中間ユーザー携帯電話１２のメールアドレスを中間ユーザー携帯電話識別番号に関連付けた状態でハードディスクに格納する。
【００９４】
中間ユーザー携帯電話１２のメールアドレスと中間ユーザー携帯電話識別番号とをハードディスクに格納した後、第２コンピュータ１１は、各中間ユーザー携帯電話１２のメールアドレスに対応する中間ユーザー登録ＵＲＬ（第２コンピュータログイン用ＵＲＬ）を生成し、生成した各中間ユーザー登録ＵＲＬを中間ユーザー携帯電話１２のメールアドレスと中間ユーザー携帯電話識別番号とに関連付けた状態でハードディスクに格納する。中間ユーザー登録ＵＲＬをハードディスクに格納した後、コンピュータ１１は、中間ユーザー携帯電話１２のメールアドレスを使用し、生成した中間ユーザー登録ＵＲＬを中間ユーザー携帯電話１２に送信する（ＵＲＬ第１送信手段）。
【００９５】
携帯メールを送信した中間ユーザーの中間ユーザー携帯電話１２には、第２コンピュータ１１から中間ユーザー登録ＵＲＬを表示した携帯メールが届く。中間ユーザー登録ＵＲＬを受信した中間ユーザーは、ディスプレイ１４に表示された中間ユーザー登録ＵＲＬをクリックすることで、コンピュータ１１（システム）にログインすることができる。中間ユーザー携帯電話１２のディスプレイ１４に表示されたＵＲＬをクリックすると、その中間ユーザー携帯電話１２がコンピュータ１１（システム）にログインし、携帯電話１２のディスプレイ１４に図２２に示す携帯電話１２の登録手続画面が表示される。
【００９６】
図２２の登録手続画面には、ログインＩＤ入力エリア２２ａ、モバイルパスワード入力エリア２２ｂ、備考入力エリア２２ｃ、次に進むボタン２２ｄが表示される。中間ユーザーは、ログインＩＤ入力エリア２２ａに任意のログインＩＤを入力し、モバイルパスワード入力エリア２２ｂに任意のパスワードを入力するとともに、必要ならば備考入力エリア２２ｃに備考を入力した後、次に進むボタン２２ｄをクリックする。備考入力エリア２２ｃには、部署名や中間ユーザーの氏名等（たとえば、営業担当者や管理者の氏名）を入力する。
【００９７】
それら入力エリア２２ａ〜２２ｃに各登録データを入力して次に進むボタン２２ｄをクリックすると、それら入力エリア２２ａ〜２２ｃに入力された各データがコンピュータ１１に送信される。第２コンピュータ１１は、ハードディスクに格納されたログインＩＤおよびモバイルパスワードに送信されたログインＩＤおよびモバイルパスワードを当て嵌め、該当するログインＩＤおよびモバイルパスワードに対応した事業者番号および事業者名をハードディスクから取り出し、取り出した事業者番号および事業者名と入力された部署名および中間ユーザーの氏名とを中間ユーザー携帯電話１２に送信する。
【００９８】
中間ユーザー携帯電話１２のディスプレイ１４には、図２３（ａ）に示す登録事項表示画面が表示される。登録事項表示画面には、事業者番号を表示した事業者番号表示エリア２３ａ、事業者名を表示した事業者名表示エリア２３ｂ、部署名を表示した部署名表示エリア２３ｃ、中間ユーザーの氏名を表示した中間ユーザー氏名表示エリア２３ｄ、登録ボタン２３ｅ、キャンセルボタン２３ｆが表示される。キャンセルボタン２３ｆをクリックすると、このシステムからログアウトする。
【００９９】
中間ユーザーは、それら表示エリア２３ａ〜２３ｄされた事業者番号、事業者名、部署名、中間ユーザーの氏名を確認し、変更等がない場合、登録ボタン２３ｅをクリックする。登録ボタン２３ｅをクリックすると、ユーザーデータ登録信号が中間ユーザー携帯電話１２からコンピュータ１１に送信される。第２コンピュータ１１は、事業者番号、事業者名、所属部課、部署名、中間ユーザーの氏名を中間ユーザー携帯電話識別番号に関連付けた状態でハードディスクに格納する（中間ユーザーデータ格納手段）。コンピュータ１１は、それらを格納した後、図２３（ｂ）に示す以後の手続を続けるための手続続行画面を中間ユーザー携帯電話１２のディスプレイ１４に表示する。
【０１００】
図２３（ｂ）の手続続行画面には、携帯電話の登録完了メッセージ、登録完了メール送信メッセージ、すぐに利用ボタン２３ｇ、あとで利用ボタン２３ｈが表示される。手続を一端終了する場合は、あとで利用ボタン２３ｈをクリックする。あとで利用ボタン２３ｈをクリックすると、このシステムからログアウトする。そのまま手続を続行する場合は、すぐに利用ボタン２３ｇをクリックする。
【０１０１】
図２４は、一例として示すＷｅｂサイト開設手順およびＷｅｂページ作成手順の概念図であり、図２５は、携帯Ｗｅｂ画面の一例を示す図である。図２６は、図２５から続くＷｅｂサイト開設画面を示す図であり、図２７は、図２６から続くＷｅｂサイト開設画面を示す図である。図２５〜図２７では、各入力エリアや各表示エリアに表示されるデータの図示を省略している。
【０１０２】
図２３（ｂ）の手続続行画面においてすぐに利用ボタン２３ｇをクリックすると、第２コンピュータ１１は、図２５（ａ）に示す携帯Ｗｅｂ画面を中間ユーザー携帯電話１２のディスプレイ１４に表示する。なお、あとで利用ボタン２３ｈをクリックした後、再び第２コンピュータ１１（システム）にログインするには、中間ユーザー携帯電話１２において第２コンピュータログイン用の中間ユーザー登録ＵＲＬを入力した後、ログインボタンをクリックする。ログインボタンをクリックすると、コンピュータ１１は、図２５（ａ）に示す携帯Ｗｅｂ画面を中間ユーザー携帯電話１２のディスプレイ１４に表示する。図２５（ａ）の携帯Ｗｅｂ画面には、ログインボタン２５ａが表示される。
【０１０３】
図２５（ａ）の携帯Ｗｅｂ画面において、ログインボタン２５ａをクリックすると、第２コンピュータ１１は、図２５（ｂ）の携帯Ｗｅｂ画面を中間ユーザー携帯電話１２のディスプレイ１４に表示する。図２５（ｂ）の携帯Ｗｅｂ画面には、Ｗｅｂサイト開設ボタン２５ｂ、開設Ｗｅｂサイト一覧ボタン２５ｃ、ログアウトボタン２５ｄが表示される。ログアウトボタン２５ｄをクリックすると、第２コンピュータ１１（システム）からログアウトする。Ｗｅｂサイトを開設するには、図２５（ｂ）の携帯Ｗｅｂ画面において、Ｗｅｂサイト開設ボタン２５ｂをクリックする。
【０１０４】
Ｗｅｂサイト開設ボタン２５ｂをクリックすると、第２コンピュータ１１は、図２６のＷｅｂサイト開設画面を中間ユーザー携帯電話１２のディスプレイ１４に表示する。図２６のＷｅｂサイト開設画面には、ドメイン名入力・サイト開設メッセージ、ドメイン名入力エリア２６ａ、投稿用メールアドレス入力エリア２６ｂ、識別子入力エリア２６ｃ、備考入力エリア２６ｄ、次へボタン２６ｅ、メニューに戻るボタン２６ｆが表示される。
【０１０５】
中間ユーザーは、ドメイン名入力エリア２６ａに登録済のドメイン名を入力し、投稿用メールアドレス入力エリア２６ｂに任意の投稿用メールアドレスを入力するとともに、識別子入力エリア２６ｃに任意の識別子（識別番号、識別記号等）を入力し、備考入力エリア２６ｄに備考（店名や店主名等）を入力した後、次へボタン２６ｅをクリックする。なお、投稿用メールアドレス入力エリア２６ｂや識別子入力エリア２６ｃをブランクのまま次へボタン２６ｅをクリックしてもよい。
【０１０６】
図２６のＷｅｂサイト開設画面において各入力エリア２６ａ〜２６ｄに入力したデータを確認した後、次へボタン２６ｅをクリックすると、第２コンピュータ１１は、図２７（ａ）に示すＷｅｂサイト開設画面を中間ユーザー携帯電話１２のディスプレイ１４に表示する。図２７（ａ）のＷｅｂサイト開設画面には、入力されたドメイン名を表示したサイト名表示エリア２７ａ、入力された投稿用メールアドレスを表示した投稿用メールアドレス表示エリア２７ｂ、入力された識別子を表示した識別子表示エリア２７ｃ、入力された備考を表示した備考表示エリア２７ｄ、サイト開設メッセージ、Ｗｅｂ開設ボタン２７ｅ、キャンセルボタン２７ｆが表示される。
【０１０７】
なお、図２６のＷｅｂサイト開設画面において、投稿用メールアドレス入力エリア２６ｂに投稿用メールアドレスを入力しない場合、第２コンピュータ１１は、任意の投稿用メールアドレスを生成し、生成したメールアドレスをそのドメイン名の投稿用メールアドレスとする。また、識別子入力エリア２６ｃに識別子を入力しない場合、コンピュータ１１は、任意の識別子を生成し、生成した識別子をそのドメイン名の識別子とする。
【０１０８】
それら表示エリア２７ａ〜２７ｄに表示された各データを確認した後、Ｗｅｂ開設をする場合は、Ｗｅｂ開設ボタン２７ｅをクリックする。なお、キャンセルボタン２７ｆをクリックすると、図２６のＷｅｂサイト開設画面に戻り、各入力エリア２６ａ〜２６ｄへのデータの入力をやり直す。図２７（ａ）のＷｅｂサイト開設画面においてＷｅｂ開設ボタン２７ｅをクリックすると、第２コンピュータ１１は、第１コンピュータ１０にアクセスし、入力されたドメイン名が第１コンピュータ１０に登録されているかを問い合わせる。
【０１０９】
入力されたドメイン名が第１コンピュータ１０に登録されている場合、第２コンピュータ１１は、そのドメイン名、投稿用メールアドレス、識別子、備考をハードディスクに格納し、Ｗｅｂサイトを開設する（Ｗｅｂサイト開設手段）。第２コンピュータ１１は、ドメイン名を中間ユーザー携帯電話１２のメールアドレスと中間ユーザー携帯電話識別番号とに関連付けた状態でハードディスクに格納するとともに、投稿用メールアドレスをそのドメイン名に関連付けた状態でハードディスクに格納する。さらに、識別子、備考をその投稿用メールアドレスに関連付けた状態でハードディスクに格納する。なお、入力されたドメイン名が第１コンピュータ１０に登録されていない場合、第２コンピュータ１１は、エラーメッセージを中間ユーザー携帯電話１２のディスプレイ１４に表示する。
【０１１０】
それらデータを格納した後、第２コンピュータ１１は、図２７（ｂ）に示すＷｅｂサイト開設画面を中間ユーザー携帯電話１２のディスプレイ１４に表示する。図２７（ｂ）のＷｅｂサイト開設画面には、サイト開設完了メッセージ、開設したＷｅｂサイトのドメイン名を表示したドメイン名表示エリア２７ｇ、投稿用メールアドレスを表示した投稿用メールアドレス表示エリア２７ｈ、メニューへ戻るボタン２７ｉが表示される。メニューへ戻るボタン２７ｉをクリックすると、図２５（ｂ）の携帯Ｗｅｂ画面に戻る。
【０１１１】
図２８は、Ｗｅｂサイト一覧画面の一例を示す図であり、図２９は、Ｗｅｂサイト表示画面の一例を示す図である。図３０は、管理メニュー画面の一例を示す図であり、図３１は、Ｗｅｂページ作成画面の一例を示す図である。図３２は、完成したＷｅｂページ画面の一例を示す図である。図２８〜図３２では、各表示エリアに表示されるデータの図示を一部省略している。このＷｅｂサイト作成システムでは、携帯メールを利用して登録したドメイン名のＷｅｂサイトに対応するＷｅｂページを作成することができる。
【０１１２】
中間ユーザー携帯電話１２を使用し、Ｗｅｂサイト開設手順において入力したドメイン名を入力した後、ログインボタンをクリックする。ログインボタンをクリックすると、第２コンピュータ１１は、図２５（ａ）の携帯Ｗｅｂ画面を中間ユーザー携帯電話１２のディスプレイ１４に表示する。図２５（ａ）の携帯Ｗｅｂ画面において、ログインボタン２５ａをクリックすると、コンピュータ１１は、図２５（ｂ）の携帯Ｗｅｂ画面を中間ユーザー携帯電話１２のディスプレイ１４に表示する。図２５（ｂ）の携帯Ｗｅｂ画面において開設Ｗｅｂサイト一覧ボタン２５ｃをクリックする。
【０１１３】
開設Ｗｅｂサイト一覧ボタン２５ｃをクリックすると、第２コンピュータ１１は、過去から現在までに開設したＷｅｂサイトの一覧を表示した図２８に示すＷｅｂサイト一覧画面を中間ユーザー携帯電話１２のディスプレイ１４に表示する。図２８のＷｅｂサイト一覧画面には、ドメイン名を表示したドメイン名表示エリア２８ａ、投稿用メールアドレスを表示した投稿用メールアドレス表示エリア２８ｂ、Ｗｅｂページ新規作成ボタン２８ｃまたはＷｅｂページ作成ボタン２８ｄ、前へボタン２８ｅ、次へボタン２８ｆ、メニューに戻るボタン２８ｇが表示される。投稿用メールアドレス表示エリア２８ｂには、投稿用メールアドレスの他に、備考、識別子が表示される。Ｗｅｂページ新規作成ボタン２８ｃが表示されたＷｅｂサイトは、Ｗｅｂサイト開設済かつＷｅｂページ未作成を意味し、Ｗｅｂページ作成ボタン２８ｄが表示されたＷｅｂサイトは、Ｗｅｂサイト開設済かつＷｅｂページ作成済を意味する。なお、メニューに戻るボタン２８ｇをクリックすると、図２５（ｂ）の携帯Ｗｅｂ画面に戻る。
【０１１４】
Ｗｅｂページを新規に作成する場合は、図２８のＷｅｂサイト一覧画面において、特定のＷｅｂサイトのＷｅｂページ新規作成ボタン２８ｃをクリックする。Ｗｅｂページ新規作成ボタン２８ｃをクリックすると、第２コンピュータ１１は、図２９に示すＷｅｂサイト表示画面を中間ユーザー携帯電話１２のディスプレイ１４に表示する。図２９のＷｅｂサイト表示画面には、ドメイン名を表示したドメイン名表示エリア２９ａ、投稿写真表示エリア２９ｂ、投稿文表示エリア２９ｃ、最近の更新表示エリア２９ｄ、管理メニューボタン２９ｅが表示される。なお、図２９では、Ｗｅｂページが作られておらず、投稿写真表示エリア２９ｂ、投稿文表示エリア２９ｃ、最近の更新表示エリア２９ｄがブランクである。図２９のＷｅｂサイト表示画面において管理メニューボタン２９ｅをクリックすると、コンピュータ１１は、図３０に示す管理メニュー画面を中間ユーザー携帯電話１２のディスプレイ１４に表示する。
【０１１５】
図３０に示す管理メニュー画面には、ドメイン名を表示したドメイン名表示エリア３０ａ、掲載情報作成ボタン３０ｂ、ページ内容編集ボタン３０ｃ、エンドユーザー削除ボタン３０ｄが表示される。図３０の管理メニュー画面において掲載情報作成ボタン３０ｂをクリックすると、メーラが起動し、そのＷｅｂサイトの投稿用メールアドレスを使用して第２コンピュータ１１の携帯メールサーバにログインする。第２コンピュータ１１は、図３１（ａ）に示すＷｅｂページ作成画面を中間ユーザー携帯電話１２のディスプレイ１４に表示する。図３１（ａ）のＷｅｂページ作成画面には、投稿用メールアドレス表示エリア３０ａ、件名表示エリア３０ｂ、投稿文表示エリア３０ｃが表示される。中間ユーザーは、中間ユーザー携帯電話１２を使用し、投稿文を入力するとともに、投稿写真を撮影した後、投稿文や投稿写真を携帯メールとしてコンピュータ１１に送信する。
【０１１６】
投稿文や投稿写真のコンピュータ１１への送信が終了すると、第２コンピュータ１１は、投稿写真表示エリア２９ｂに投稿写真を貼り付け、投稿文表示エリア２９ｃに投稿文を貼り付けるとともに、最近の更新表示エリア２９ｄにそのＷｅｂページを表示してＷｅｂサイトのＷｅｂページを作成する（Ｗｅｂページ第１作成手段）。コンピュータ１１は、作成したＷｅｂページをＷｅｂサイトのドメイン名に関連付けた状態でハードディスクに格納する。コンピュータ１１は、図３１（ｂ）に示すページ投稿完了メッセージ画面を中間ユーザー携帯電話１２のディスプレイ１４に表示する。
【０１１７】
図３１（ｂ）のページ投稿完了メッセージ画面には、Ｗｅｂページ投稿完了メッセージ、ＷｅｂサイトＵＲＬ表示エリア３０ｄが表示される。図３１（ｂ）のページ投稿完了メッセージ画面においてメニューに戻るボタン３０ｅをクリックして図２５（ｂ）の携帯Ｗｅｂ画面を表示させ、図２５（ｂ）の携帯Ｗｅｂ画面の開設Ｗｅｂサイト一覧ボタン２５ｃをクリックして再び図２８のＷｅｂサイト一覧画面を表示させた後、投稿文や投稿写真を投稿したＷｅｂサイトのＷｅｂページ作成ボタン２８ｄをクリックする。Ｗｅｂページ作成ボタン２８ｄをクリックすると、第２コンピュータ１１は、図３２に示すＷｅｂページ画面を中間ユーザー携帯電話１２のディスプレイ１４に表示する。
【０１１８】
図３２に示すＷｅｂページ画面には、ドメイン名が表示されたドメイン名表示エリア３２ａ、投稿写真が表示された投稿写真表示エリア３２ｂ、投稿文が表示された投稿文表示エリア３２ｃ、最新の更新が表示された最新の更新表示エリア３２ｄ、次へボタン３２ｅ、管理メニューボタン３２ｆが表示される。第２コンピュータ１１は、作成したＷｅｂページを含むＷｅｂサイトをインターネット１５（図２４参照）を通じて公開（出力）する（Ｗｅｂサイト第１出力手段）。そのＷｅｂサイトのドメイン名を入力してＷｅｂサイトにアクセスすることで、インターネット１５を介して何人もそのＷｅｂサイトを閲覧することができる。
【０１１９】
Ｗｅｂサイト作成システムは、各中間ユーザー携帯電話１２を使用し、事前に登録された各ドメイン名に対応する複数のＷｅｂサイトを開設するとともに、各中間ユーザー携帯電話１２から送信された携帯メールを使用し、各ドメイン名に対応するそれらＷｅｂサイトのＷｅｂページを作成することができるから、中間ユーザーの携帯電話１２を介して簡単かつ速やかにＷｅｂサイトを開設することができるとともに、中間ユーザーの携帯電話１２を介して簡単かつ速やかにＷｅｂサイトのＷｅｂページを作成することができる。
【０１２０】
Ｗｅｂサイト作成システムは、各中間ユーザー携帯電話１２を使用して複数のエンドユーザーを紹介するための各ＷｅｂサイトのＷｅｂページを作成するから、複数のエンドユーザーの商品や役務についてＷｅｂページを通じて広範囲にアピールすることができるとともに、そのＷｅｂサイトのエンドユーザー自身による利用を促進することができる。Ｗｅｂサイト作成システムは、中間ユーザー携帯電話１２によって作成されたＷｅｂページを含むＷｅｂサイトがインターネット１５を通じて公開（出力）されるから、複数のエンドユーザーの商品や役務についての情報をインターネット１５を通じて全世界に伝えることができる。
【０１２１】
図３３は、編集ページ選択画面の一例を示す図であり、図３４は、Ｗｅｂページ編集画面の一例を示す図である。図３５は、ページ編集確認画面の一例を示す図であり、図３６は、ページ編集完了画面の一例を示す図である。図３３〜図３６では、各入力エリアや各表示エリアに表示されるデータの図示を省略している。このＷｅｂサイト作成システムは、中間ユーザー携帯電話１２を介して作成済みのＷｅｂページを編集することができる。図２９のＷｅｂサイト表示画面または図３２の完成したＷｅｂページ画面において管理メニューボタン２９ｅ，３２ｆをクリックすると、第２コンピュータ１１は、図３０の管理メニュー画面を中間ユーザー携帯電話１２のディスプレイ１４に表示する。中間ユーザー携帯電話１２を使用し、図３０の管理メニュー画面においてページ内容改変ボタン３０ｃをクリックする。
【０１２２】
ページ内容改変ボタン３０ｃをクリックすると、第２コンピュータ１１は、図３３に示す編集ページ選択画面を中間ユーザー携帯電話１２のディスプレイ１４に表示する。図３３に示す編集ページ選択画面には、ドメイン名が表示されたドメイン名表示エリア３３ａ、ページ編集ボタン３３ｂ、ページ削除ボタン３３ｃ、投稿写真が表示された投稿写真表示エリア３３ｄ、投稿文が表示された投稿文表示エリア３３ｅ、最新の更新が表示された最新の更新表示エリア３３ｆ、前へボタン３３ｇ、次へボタン３３ｈ、メニューに戻るボタン３３ｉが表示される。図３３の編集ページ選択画面においてページ編集ボタン３３ｂをクリックすると、ページ編集信号がコンピュータ１１に送信され、コンピュータ１１は、そのページを編集すると判断し、図３４に示すＷｅｂページ編集画面を中間ユーザー携帯電話１２のディスプレイ１４に表示する。
【０１２３】
図３４のＷｅｂページ編集画面には、ドメイン名が表示されたドメイン名表示エリア３４ａ、投稿写真が表示された投稿写真編集エリア３４ｂ、投稿文が表示された投稿文編集エリア３４ｃ、編集ボタン３４ｄ、キャンセルボタン３４ｅ、メニューに戻るボタン３４ｆが表示される。キャンセルボタン３４ｅをクリックすると、図３３の編集ページ選択画面に戻る。中間ユーザーは、中間ユーザー携帯電話１２を使用し、投稿写真編集エリア３４ｂに表示された投稿写真を他のそれに替えることができ、投稿文字編集エリア３４ｃに表示された投稿文字を他のそれに替えることができる。投稿写真や投稿文字を替えた後、編集ボタン３４ｄをクリックする。
【０１２４】
編集ボタン３４ｄをクリックすると、第２コンピュータ１１は、図３５に示すページ編集確認画面を中間ユーザー携帯電話１２のディスプレイ１４に表示する。図３５のページ編集確認画面には、ドメイン名が表示されたドメイン名表示エリア３５ａ、編集された投稿写真が表示された投稿写真確認エリア３５ｂ、編集された投稿文字が表示された投稿文字確認エリア３５ｃ、ＯＫボタン３５ｄ、キャンセルボタン３５ｅ、メニューに戻るボタン３５ｆが表示される。キャンセルボタン３５ｅをクリックすると、図３３の編集ページ選択画面に戻る。編集後の投稿写真や投稿文字を確認した後、ＯＫボタン３５ｄをクリックする。
【０１２５】
ＯＫボタン３５ｄをクリックすると、第２コンピュータ１１は、投稿写真表示エリア３５ｂに編集後の投稿写真を貼り付け、投稿文表示エリア３５ｃに編集後の投稿文を貼り付けるとともに、最近の更新表示エリア３３ｆにそのＷｅｂページを表示してＷｅｂサイトのＷｅｂページを編集する（Ｗｅｂページ第１編集手段）。コンピュータ１１は、編集したＷｅｂページを含むＷｅｂサイトをインターネット１５を通じて公開（出力）する（Ｗｅｂサイト第１出力手段）。
【０１２６】
第２コンピュータ１１は、編集したＷｅｂページをＷｅｂサイトのドメイン名に関連付けた状態でハードディスクに格納した後、図３６に示すページ編集完了画面を中間ユーザー携帯電話１２のディスプレイ１４に表示する。図３６のページ編集完了画面には、ドメイン名が表示されたドメイン名表示エリア３６ａ、ページ編集完了メッセージ、編集ページへボタン３６ｂ、メニューに戻るボタン３６ｃが表示される。編集ページへボタン３６ｂをクリックすると、コンピュータ１１は、編集後のＷｅｂページを中間ユーザー携帯電話１２のディスプレイ１４に表示する（図３３援用）。
【０１２７】
Ｗｅｂサイト作成システムは、中間ユーザーが中間ユーザー携帯電話１２を使用して各ドメイン名に対応するそれらＷｅｂサイトのＷｅｂページを編集することができるから、中間ユーザー携帯電話１２を介してＷｅｂページを編集しつつ魅力的なＷｅｂページを作ることができる。Ｗｅｂサイト作成システムは、各中間ユーザー携帯電話１２を使用して複数のエンドユーザーを紹介するための各ＷｅｂサイトのＷｅｂページを編集するから、編集したＷｅｂページを通じて複数のエンドユーザーの商品や役務を広範囲にアピールすることができるとともに、そのＷｅｂサイトのエンドユーザー自身による利用を促進することができる。Ｗｅｂサイト作成システムは、中間ユーザー携帯電話１２によって編集されたＷｅｂページを含むＷｅｂサイトがインターネット１５を通じて出力されるから、複数のエンドユーザーの商品や役務についての情報をインターネット１５を通じて全世界に伝えることができる。
【０１２８】
図３７は、Ｗｅｂページ削除画面の一例を示す図であり、図３８は、ページ削除確認画面の一例を示す図である。図３７，３８では、各入力エリアや各表示エリアに表示されるデータの図示を省略している。このＷｅｂサイト作成システムは、中間ユーザー携帯電話１２を介して作成済みのＷｅｂページを削除することができる。特定のＷｅｂページを削除する場合、図３３の編集ページ選択画面においてページ削除ボタン３３ｃをクリックする。ページ削除ボタン３３ｃをクリックすると、ページ削除信号がコンピュータ１１に送信される。ページ削除信号が送信されると、第２コンピュータ１１は、そのページを削除すると判断し、図３７に示すＷｅｂページ削除画面を中間ユーザー携帯電話１２のディスプレイ１４に表示する。
【０１２９】
図３７のＷｅｂページ削除画面には、ドメイン名が表示されたドメイン名表示エリア３７ａ、投稿写真が表示された投稿写真表示エリア３７ｂ、投稿文が表示された投稿分表示エリア３７ｃ、削除ボタン３７ｄ、キャンセルボタン３７ｅ、メニューに戻るボタン３７ｆが表示される。キャンセルボタン３７ｅをクリックすると、図３３の編集ページ選択画面に戻る。中間ユーザーは、削除するＷｅｂページを再度確認した後、そのＷｅｂページを削除する場合、削除ボタン３７ｄをクリックする。削除ボタン３７ｄをクリックすると、第２コンピュータ１１は、削除対象のＷｅｂページに終了フラグ（終了日時を含む）を設定し、終了フラグとともにそのＷｅｂページをハードディスクに格納する（Ｗｅｂページ第１削除手段）。または、そのＷｅｂページをハードディスクから消去する（Ｗｅｂページ第１削除手段）。
【０１３０】
終了フラグとともに削除対象のＷｅｂページをハードディスクに格納した後、または、削除対象のＷｅｂページをハードディスクから消去した後、第２コンピュータ１１は、図３８に示すページ削除確認画面を中間ユーザー携帯電話１２のディスプレイ１４に表示する。図３８のページ削除確認画面には、ドメイン名が表示されたドメイン名表示エリア３８ａ、ページ削除完了メッセージ、メニューに戻るボタン３８ｂが表示される。Ｗｅｂサイト作成システムは、中間ユーザーが中間ユーザー携帯電話１２を使用して不必要なＷｅｂページを削除することができるから、中間ユーザー携帯電話１２を介して不必要なＷｅｂページを削除しつつ魅力的なＷｅｂページを作ることができる。
【０１３１】
図３９は、一例として示すエンドユーザー携帯電話１３の登録手順の概念図であり、図４０は、エンドユーザー携帯電話１３の登録手続画面の一例を示す図である。図４１は、エンドユーザー登録完了画面の一例を示す図であり、図４２は、エンドユーザーのＷｅｂページ画面の一例を示す図である。図３９〜図４１では、第２コンピュータ１１におけるエンドユーザー携帯電話１３の登録手順を示す。図３９では、携帯電話１３を１つだけ図示しているが、実際のシステムには複数の携帯電話１３が存在し、それら携帯電話１３と第２コンピュータ１１との間において携帯メールの送受信が行われる。図４０〜図４２では、各入力エリアや各表示エリアに表示されるデータの図示を省略している。
【０１３２】
中間ユーザーは、たとえばエンドユーザーの店舗に訪問し、中間ユーザー携帯電話１２を介して作成したそのエンドユーザーのＷｅｂページを含むＷｅｂサイトを見せ、エンドユーザー携帯電話１３を使用してそのＷｅｂページをそのままエンドユーザーのＷｅｂページにすることができ、そのＷｅｂページをエンドユーザー携帯電話１３を介して簡単に編集・更新できるこのシステムの魅力をアピールする。エンドユーザーがこのシステムを気に入ってその導入を決めた場合、エンドユーザーの第２コンピュータ１１（システム）への登録手続が行われる。
【０１３３】
図３９〜図４１に基づいて、第２コンピュータ１１におけるエンドユーザー携帯電話１３の登録手順を説明すると、以下のとおりである。なお、エンドユーザー携帯電話１３の第２コンピュータ１１（システム）への登録は、同一の携帯電話１３であれば一度だけ行えばよく、登録手続を複数回行う必要はない。コンピュータ１１は、エンドユーザー携帯電話１３からそのエンドユーザーのＷｅｂサイトの投稿用メールアドレス宛（第２コンピュータ１１の携帯メールサーバの投稿用メールアドレス）に携帯メール（空メール）を送信させる（メール送信第２要求手段）。エンドユーザーは、エンドユーザー携帯電話１３から指定された投稿用メールアドレス宛に携帯メール（空メール）を送信する。コンピュータ１１には、エンドユーザー携帯電話１３のメールアドレスとエンドユーザー携帯電話１３を特定するエンドユーザー携帯電話識別番号とが送信される。
【０１３４】
エンドユーザー携帯電話１３からコンピュータ１１に携帯メールが送信されると、第２コンピュータ１１は、エンドユーザー携帯電話１３のメールアドレスをハードディスクに登録（格納）するとともに、エンドユーザー携帯電話１３のエンドユーザー携帯電話識別番号をハードディスクに登録（格納）する（メールアドレス第２登録手段）。コンピュータ１１は、エンドユーザー携帯電話１３のメールアドレスをエンドユーザー携帯電話識別番号に関連付けた状態でハードディスクに格納する。
【０１３５】
エンドユーザー携帯電話１３のメールアドレスとエンドユーザー携帯電話識別番号とをハードディスクに格納した後、第２コンピュータ１１は、そのエンドユーザー携帯電話１３のメールアドレスに対応するエンドユーザー登録ＵＲＬ（第２コンピュータログイン用ＵＲＬ）を生成し、生成したエンドユーザー登録ＵＲＬをエンドユーザー携帯電話１３のメールアドレスとエンドユーザー携帯電話識別番号とに関連付けた状態でハードディスクに格納する。エンドユーザー登録ＵＲＬをハードディスクに格納した後、コンピュータ１１は、エンドユーザー携帯電話１３のメールアドレスを使用し、生成したエンドユーザー登録ＵＲＬをエンドユーザー携帯電話１３に送信する（ＵＲＬ第２送信手段）。
【０１３６】
携帯メールを送信したエンドユーザーのエンドユーザー携帯電話１３には、第２コンピュータ１１からエンドユーザー登録ＵＲＬを表示した携帯メールが届く。エンドユーザー登録ＵＲＬを受信したエンドユーザーは、ディスプレイ１６に表示されたエンドユーザー登録ＵＲＬをクリックすることで、コンピュータ１１（システム）にログインすることができる。エンドユーザー携帯電話１３のディスプレイ１６に表示されたＵＲＬをクリックすると、そのエンドユーザー携帯電話１３がコンピュータ１１（システム）にログインし、携帯電話１３のディスプレイ１６に図４０に示す携帯電話１３の登録手続画面が表示される。
【０１３７】
図４０の登録手続画面には、ドメイン名表示エリア４０ａ、識別子入力エリア４０ｂ、登録ボタン４０ｃ、キャンセルボタン４０ｄが表示される。キャンセルボタン４０ｄをクリックすると、コンピュータ１１（システム）からログアウトする。エンドユーザーは、識別子入力エリア４０ｂに識別子を入力した後、登録ボタン４０ｃをクリックする。なお、識別子には、中間ユーザー携帯電話１２によってＷｅｂサイト開設時に中間ユーザー携帯電話１２からコンピュータ１１に登録されたそれを使用する。識別子は、エンドユーザー携帯電話１３の登録時に中間ユーザーから教えてもらう。
【０１３８】
識別子入力エリア４０ｂに識別子を入力して登録ボタン４０ｃをクリックすると、識別子入力エリア４０ｂに入力された識別子が第２コンピュータ１１に送信される。コンピュータ１１は、ハードディスクに格納された識別子に送信された識別子を当て嵌め、送信された識別子と同一のそれがハードディスクに格納されている場合であって、その識別子に対応するＷｅｂサイトにエンドユーザー登録がされていない場合、そのエンドユーザーのユーザー登録を許可する。送信された識別子と同一のそれがハードディスクに格納されていない場合、または、その識別子に対応するＷｅｂサイトに既にエンドユーザー登録がされている場合、コンピュータ１１はユーザー登録不可メッセージをエンドユーザー携帯電話１３のディスプレイ１６に表示する。
【０１３９】
エンドユーザー登録を許可した後、第２コンピュータ１１は、エンドユーザー携帯電話１３のメールアドレスとエンドユーザー携帯電話識別番号とに登録フラグを設定する（エンドユーザー登録手段）。登録フラグを設定した後、コンピュータ１１は、図４１に示すエンドユーザー登録完了画面をエンドユーザー携帯電話１３のディスプレイ１６に表示する。図４１の登録完了画面には、携帯電話の登録完了メッセージ、登録完了メール送信メッセージ、すぐに利用ボタン４１ａ、あとで利用ボタン４１ｂが表示される。エンドユーザー携帯電話１３による手続を一端終了する場合は、あとで利用ボタン４１ｂをクリックする。あとで利用ボタン４１ｂをクリックすると、このシステムからログアウトする。そのまま手続を続行する場合は、すぐに利用ボタン４１ａをクリックする。
【０１４０】
このＷｅｂサイト作成システムでは、登録されたエンドユーザーが自己のＷｅｂサイトのＷｅｂページを新規に作成することができ、Ｗｅｂページを編集ことができるとともに、Ｗｅｂページを削除することができる。エンドユーザーにおけるＷｅｂページ作成手順を説明すると、以下のとおりである。エンドユーザーは、エンドユーザー携帯電話１３を使用し、それに表示されたエンドユーザー登録ＵＲＬをクリック、または、エンドユーザー登録ＵＲＬを入力してログインボタンをクリックする。
【０１４１】
エンドユーザー携帯電話１３がコンピュータ１１（システム）にログインすると、エンドユーザー携帯電話１３のディスプレイ１６に図４２に示すエンドユーザーのＷｅｂページ画面が表示される。図４２のエンドユーザーのＷｅｂページ画面には、ドメイン名が表示されたドメイン名表示エリア４２ａ、投稿写真が表示された投稿写真表示エリア４２ｂ、投稿文が表示された投稿文表示エリア４２ｃ、最新の更新が表示された最新の更新表示エリア４２ｄ、次へボタン４２ｅ、管理メニューボタン４２ｆが表示される。第２コンピュータ１１は、エンドユーザー携帯電話１３のディスプレイ１６に表示されたＷｅｂページを含むＷｅｂサイトをインターネット１５を通じて公開（出力）する（Ｗｅｂサイト第２出力手段）。そのＷｅｂサイトのドメイン名を入力してＷｅｂサイトにアクセスすることで、インターネット１５を介してそのＷｅｂサイトを何人も閲覧することができる。
【０１４２】
エンドユーザー携帯電話１３のディスプレイ１６に表示されたＷｅｂページ画面において管理メニューボタン４２ｆをクリックすると、第２コンピュータ１１は、管理メニュー画面をエンドユーザー携帯電話１３のディスプレイ１６に表示する（図３０援用）。エンドユーザー携帯電話１３を使用し、管理メニュー画面において掲載情報作成ボタンをクリックする。掲載情報作成ボタンをクリックすると、メーラが起動し、そのＷｅｂサイトの投稿用メールアドレスを使用して第２コンピュータ１１の携帯メールサーバにログインする。第２コンピュータ１１は、Ｗｅｂページ作成画面をエンドユーザー携帯電話１３のディスプレイ１６に表示する（図３１（ａ）援用）。エンドユーザーは、エンドユーザー携帯電話１３を使用し、投稿文を入力するとともに、投稿写真を撮影した後、投稿文や投稿写真を携帯メールとしてコンピュータ１１に送信する。
【０１４３】
投稿文や投稿写真のコンピュータ１１への送信が終了すると、第２コンピュータ１１は、投稿写真表示エリアに投稿写真を貼り付け、投稿文表示エリアに投稿文を貼り付けるとともに、最近の更新表示エリアにそのＷｅｂページを表示してＷｅｂサイトのＷｅｂページを作成する（Ｗｅｂページ第２作成手段）。コンピュータ１１は、作成したＷｅｂページをＷｅｂサイトのドメイン名に関連付けた状態でハードディスクに格納する。コンピュータ１１は、ページ投稿完了メッセージ画面を中間ユーザー携帯電話１３のディスプレイ１６に表示する（図３１（ｂ）援用）。
【０１４４】
エンドユーザー携帯電話１３がコンピュータ１１（システム）にログインすると、エンドユーザー携帯電話１３のディスプレイ１６にそのエンドユーザーによって作成されたＷｅｂページ画面が表示される。第２コンピュータ１１は、エンドユーザー携帯電話１３のディスプレイ１６に表示されたＷｅｂページを含むＷｅｂサイトをインターネット１５を通じて公開（出力）する（Ｗｅｂサイト第２出力手段）。
【０１４５】
Ｗｅｂサイト作成システムは、エンドユーザー携帯電話１３から送信された携帯メールを使用し、特定のドメイン名に対応するＷｅｂサイトのＷｅｂページを作成することができ、エンドユーザーの携帯電話１３を介して簡単かつ迅速にＷｅｂサイトのＷｅｂページを作成することができる。Ｗｅｂサイト作成システムは、エンドユーザー携帯電話１３を使用して特定のエンドユーザーを紹介するための各ＷｅｂサイトのＷｅｂページを作成するから、作成したＷｅｂページを通じて特定のエンドユーザーの商品や役務を広範囲にアピールすることができるとともに、作成されたＷｅｂページを含むＷｅｂサイトがインターネット１５を通じて公開されるから、そのエンドユーザーの商品や役務についての情報をインターネット１５を通じて全世界に伝えることができる。
【０１４６】
このＷｅｂサイト作成システムは、エンドユーザー携帯電話１３を介して作成済みのＷｅｂページを編集することができる。エンドユーザーにおけるＷｅｂページ編集手順を説明すると、以下のとおりである。エンドユーザー携帯電話１３を使用し、管理メニュー画面（図３０援用）においてページ内容改変ボタンをクリックする。ページ内容改変ボタンをクリックすると、第２コンピュータ１１は、編集ページ選択画面をエンドユーザー携帯電話１３のディスプレイ１６に表示する（図３３援用）。編集ページ選択画面においてページ編集ボタンをクリックすると、ページ編集信号がコンピュータ１１に送信され、コンピュータ１１は、そのページを編集すると判断し、Ｗｅｂページ編集画面を中間ユーザー携帯電話１３のディスプレイ１６に表示する（図３４援用）。
【０１４７】
エンドユーザーは、エンドユーザー携帯電話１３を使用し、投稿写真編集エリアに表示された投稿写真を他のそれに替えることができ、投稿文字編集エリアに表示された投稿文字を他のそれに替えることができる。投稿写真や投稿文字を替えた後、編集ボタンをクリックする。編集ボタンをクリックすると、第２コンピュータ１１は、ページ編集確認画面をエンドユーザー携帯電話１３のディスプレイ１６に表示する（図３５援用）。
【０１４８】
編集後の投稿写真や投稿文字を確認した後、ページ編集確認画面においてＯＫボタンをクリックする。ＯＫボタンをクリックすると、第２コンピュータ１１は、投稿写真表示エリアに編集後の投稿写真を貼り付け、投稿文表示エリアに編集後の投稿文を貼り付けるとともに、最近の更新表示エリアにそのＷｅｂページを表示してＷｅｂサイトのＷｅｂページを編集する（Ｗｅｂページ第２編集手段）。コンピュータ１１は、編集したＷｅｂページを含むＷｅｂサイトをインターネット１５を通じて公開する（Ｗｅｂサイト第２出力手段）。
【０１４９】
第２コンピュータ１１は、編集したＷｅｂページをＷｅｂサイトのドメイン名に関連付けた状態でハードディスクに格納する。コンピュータ１１は、ページ編集完了画面をエンドユーザー携帯電話１３のディスプレイ１６に表示する（図３６援用）。ページ編集完了画面において編集ページへボタンをクリックすると、コンピュータ１１は、編集後のＷｅｂページをエンドユーザー携帯電話１３のディスプレイ１６に表示する。
【０１５０】
Ｗｅｂサイト作成システムは、エンドユーザーがエンドユーザー携帯電話１３を使用してドメイン名に対応するＷｅｂサイトのＷｅｂページを編集することができるから、エンドユーザー携帯電話１３を介してＷｅｂページを編集しつつ魅力的なＷｅｂページを作ることができる。Ｗｅｂサイト作成システムは、エンドユーザー携帯電話１３を使用して自己を紹介するためのＷｅｂサイトのＷｅｂページを編集するから、編集したＷｅｂページを通じてそのエンドユーザーの商品や役務を広範囲にアピールすることができる。Ｗｅｂサイト作成システムは、エンドユーザー携帯電話１３によって編集されたＷｅｂページを含むＷｅｂサイトがインターネット１５を通じて出力されるから、エンドユーザーの商品や役務についての情報をインターネット１５を通じて全世界に伝えることができる。
【０１５１】
このＷｅｂサイト作成システムは、エンドユーザー携帯電話１３を介して作成済みのＷｅｂページを削除することができる。エンドユーザーにおけるＷｅｂページ削除手順を説明すると、以下のとおりである。特定のＷｅｂページを削除する場合、編集ページ選択画面（図３３援用）においてページ削除ボタンをクリックする。ページ削除ボタンをクリックすると、ページ削除信号がコンピュータ１１に送信され、第２コンピュータ１１は、そのページを削除すると判断し、Ｗｅｂページ削除画面をエンドユーザー携帯電話１３のディスプレイ１６に表示する（図３７援用）。
【０１５２】
エンドユーザーは、削除するＷｅｂページを再度確認した後、そのＷｅｂページを削除する場合、削除ボタンをクリックする。削除ボタンをクリックすると、第２コンピュータ１１は、削除対象のＷｅｂページに終了フラグ（終了日時を含む）を設定し、終了フラグとともにそのＷｅｂページをハードディスクに格納する（Ｗｅｂページ第２削除手段）。または、そのＷｅｂページをハードディスクから消去する（Ｗｅｂページ第２削除手段）。
【０１５３】
終了フラグとともに削除対象のＷｅｂページをハードディスクに格納した後、または、削除対象のＷｅｂページをハードディスクから消去した後、第２コンピュータ１１は、ページ削除確認画面をエンドユーザー携帯電話１３のディスプレイ１６に表示する（図３８援用）。Ｗｅｂサイト作成システムは、エンドユーザーがエンドユーザー携帯電話１３を使用して不必要なＷｅｂページを削除することができるから、エンドユーザー携帯電話１３を介して不必要なＷｅｂページを削除しつつ魅力的なＷｅｂページを作ることができる。
【０１５４】
図４３は、エンドユーザー登録削除画面の一例を示す図であり、図４４は、エンドユーザー登録削除確認画面の一例を示す図である。図４５は、エンドユーザー登録削除完了画面の一例を示す図である。このＷｅｂサイト作成システムは、既に登録されているエンドユーザーの登録を削除することで、そのユーザーのエンドユーザー登録を取り消すことができる。なお、エンドユーザー登録の削除は中間ユーザー携帯電話１２のみで行うことができる。図４３〜図４５に基づいて、エンドユーザー登録の削除手順を説明すると、以下のとおりである。
【０１５５】
中間ユーザーは、中間ユーザー携帯電話１２を使用し、管理メニュー画面（図３０援用）においてユーザー削除ボタン３０ｄをクリックする。ユーザー削除ボタン３０ｄをクリックすると、第２コンピュータ１１は、図４３に示すユーザー削除画面を中間ユーザー携帯電話１２のディスプレイ１４に表示する。図４３のユーザー削除画面には、ドメイン名が表示されたドメイン名表示エリア４３ａ、削除ボタン４３ｂ、投稿用メールアドレスが表示された削除対象投稿用メールアドレス表示エリア４３ｃ、メニューに戻るボタン４３ｄが表示される。図４３のユーザー削除画面において削除する投稿用メールアドレスがある場合、その投稿用メールアドレスに対応する削除ボタン４３ｂをクリックする。
【０１５６】
削除ボタン４３ｂをクリックすると、その投稿用メールアドレスの削除信号が中間ユーザー携帯電話１２からコンピュータ１１に送信される。第２コンピュータ１１は、図４４に示すユーザー削除確認画面を中間ユーザー携帯電話１２のディスプレイ１４に表示する。図４４のユーザー削除確認画面には、ドメイン名が表示されたドメイン名表示エリア４４ａ、削除対象の投稿用メールアドレスが表示された削除対象投稿用メールアドレス表示エリア４４ｂ、削除ボタン４４ｃ、キャンセルボタン４４ｄ、メニューに戻るボタン４４ｅが表示される。中間ユーザーは、削除対象投稿用メールアドレスを確認した後、削除ボタン４４ｃをクリックする。
【０１５７】
削除ボタン４４ｃをクリックすると、第２コンピュータ１１は、削除対象の投稿用メールアドレスに終了フラグ（終了日時を含む）を設定し、終了フラグとともにその投稿用メールアドレスをハードディスクに格納する（エンドユーザー削除手段）。または、その投稿用メールアドレスをハードディスクから消去する（エンドユーザー削除手段）。
【０１５８】
終了フラグとともに削除対象の投稿用メールアドレスをハードディスクに格納した後、または、削除対象の投稿用メールアドレスをハードディスクから消去した後、第２コンピュータ１１は、図４５に示すユーザー削除完了画面を中間ユーザー携帯電話１２のディスプレイ１４に表示する。図４５に示すユーザー削除完了画面には、ドメイン名が表示されたドメイン名表示エリア４５ａ、ユーザー削除完了メッセージ、メニューに戻るボタン４５ｂが表示される。Ｗｅｂサイト作成システムは、このシステムの利用を希望しないエンドユーザーやこのシステムの利用を終了したいエンドユーザーのエンドユーザー登録を削除することにより、そのエンドユーザーにとって不必要なＷｅｂサイトの開設や不必要なＷｅｂページの作成を防ぐことができる。
【０１５９】
以上の実施形態では、第１コンピュータ１０の他に、第２コンピュータ１１において中間ユーザー登録やエンドユーザー登録を行うとともに、Ｗｅｂサイトの開設やＷｅｂページの作成を行う場合を説明したが、第２コンピュータ１１を介さずに第１コンピュータ１０のみを利用してこのシステムを形成し、第２コンピュータ１１を省略することができる。第１コンピュータ１０のみを利用してこのシステムの各手段を実行する場合を説明すると、以下のとおりである。第１コンピュータ１０のみを利用する場合、中間ユーザーには、システム運営者の管理者や営業担当者等を例示することができる。なお、第１コンピュータ１０における中間ユーザー携帯電話１２の登録手順は前記実施形態と同一であるから、その説明は省略する。
【０１６０】
図３（ｂ）の手続続行画面においてすぐに利用ボタン３ｇをクリックし、または、中間ユーザー携帯電話１２において第１コンピュータログイン用の中間ユーザー登録ＵＲＬを入力した後、ログインボタンをクリックする。ログインボタンをクリックすると、第１コンピュータ１０は、携帯Ｗｅｂ画面を中間ユーザー携帯電話１２のディスプレイ１４に表示する（図２５（ａ）援用）。その携帯Ｗｅｂ画面において、ログインボタン２５ａをクリックすると、第１コンピュータ１０は、次の携帯Ｗｅｂ画面を中間ユーザー携帯電話１２のディスプレイ１４に表示する（図２５（ｂ）援用）。Ｗｅｂサイトを開設するには、その携帯Ｗｅｂ画面において、Ｗｅｂサイト開設ボタン２５ｂをクリックする。
【０１６１】
Ｗｅｂサイト開設ボタン２５ｂをクリックすると、第１コンピュータ１０は、Ｗｅｂサイト開設画面を中間ユーザー携帯電話１２のディスプレイ１４に表示する（図２６援用）。中間ユーザーは、ドメイン名入力エリア２６ａに登録済のドメイン名を入力し、投稿用メールアドレス入力エリア２６ｂに任意の投稿用メールアドレスを入力するとともに、識別子入力エリア２６ｃに任意の識別子（識別番号、識別記号等）を入力し、備考入力エリア２６ｄに備考（店名や店主名等）を入力した後、次へボタン２６ｅをクリックする。
【０１６２】
Ｗｅｂサイト開設画面において次へボタン２６ｅをクリックすると、第１コンピュータ１０は、Ｗｅｂサイト開設画面を中間ユーザー携帯電話１２のディスプレイ１４に表示する（図２７（ａ）援用）。なお、Ｗｅｂサイト開設画面において、投稿用メールアドレス入力エリア２６ｂに投稿用メールアドレスを入力しない場合、コンピュータ１０は、任意の投稿用メールアドレスを生成し、生成したメールアドレスをそのドメイン名の投稿用メールアドレスとする。また、識別子入力エリア２６ｃに識別子を入力しない場合、コンピュータ１０は、任意の識別子を生成し、生成した識別子をそのドメイン名の識別子とする。
【０１６３】
Ｗｅｂサイト開設画面においてＷｅｂ開設ボタン２７ｅをクリックすると、第１コンピュータ１０は、入力されたドメイン名がコンピュータ１０に登録されているかを判断する。入力されたドメイン名がコンピュータ１０に登録されている場合、コンピュータ１０は、そのドメイン名、投稿用メールアドレス、識別子、備考をハードディスクに格納し、Ｗｅｂサイトを開設する（Ｗｅｂサイト開設手段）。
【０１６４】
第１コンピュータ１０は、ドメイン名を中間ユーザー携帯電話１２のメールアドレスと中間ユーザー携帯電話識別番号とに関連付けた状態でハードディスクに格納するとともに、投稿用メールアドレスをそのドメイン名に関連付けた状態でハードディスクに格納する。さらに、識別子、備考をその投稿用メールアドレスに関連付けた状態でハードディスクに格納する。なお、入力されたドメイン名がコンピュータ１０に登録されていない場合、コンピュータ１０は、エラーメッセージを中間ユーザー携帯電話１２のディスプレイ１４に表示する。それらデータを格納した後、コンピュータ１０は、Ｗｅｂサイト開設画面を中間ユーザー携帯電話１２のディスプレイ１４に表示する（図２７（ｂ）援用）。メニューへ戻るボタン２７ｊをクリックすると、携帯Ｗｅｂ画面（図２５（ｂ）援用）に戻る。
【０１６５】
中間ユーザー携帯電話１２を使用し、Ｗｅｂサイト開設手順において入力したドメイン名を入力した後、ログインボタンをクリックする。ログインボタンをクリックすると、第１コンピュータ１０は、図２５（ａ）の携帯Ｗｅｂ画面を中間ユーザー携帯電話１２のディスプレイ１４に表示する。図２５（ａ）の携帯Ｗｅｂ画面において、ログインボタン２５ａをクリックすると、コンピュータ１０は、図２５（ｂ）の携帯Ｗｅｂ画面を中間ユーザー携帯電話１２のディスプレイ１４に表示する。図２５（ｂ）の携帯Ｗｅｂ画面において開設Ｗｅｂサイト一覧ボタン２５ｃをクリックする。開設Ｗｅｂサイト一覧ボタン２５ｃをクリックすると、コンピュータ１０は、過去から現在までに開設したＷｅｂサイトの一覧を表示したＷｅｂサイト一覧画面を中間ユーザー携帯電話１２のディスプレイ１４に表示する（図２８援用）。
【０１６６】
Ｗｅｂページを新規に作成する場合は、図２８のＷｅｂサイト一覧画面において、特定のＷｅｂサイトのＷｅｂページ新規作成ボタン２８ｃをクリックする。Ｗｅｂページ新規作成ボタン２８ｃをクリックすると、第１コンピュータ１０は、図２９に示すＷｅｂサイト表示画面を中間ユーザー携帯電話１２のディスプレイ１４に表示する（図２９援用）。図２９のＷｅｂサイト表示画面において管理メニューボタン２９ｅをクリックすると、コンピュータ１０は、図３０に示す管理メニュー画面を中間ユーザー携帯電話１２のディスプレイ１４に表示する（図３０援用）。
【０１６７】
図３０の管理メニュー画面において掲載情報作成ボタン３０ｂをクリックすると、メーラが起動し、そのＷｅｂサイトの投稿用メールアドレスを使用して第１コンピュータ１０の携帯メールサーバにログインする。第１コンピュータ１０は、Ｗｅｂページ作成画面を中間ユーザー携帯電話１２のディスプレイ１４に表示する（図３１（ａ）援用）。中間ユーザーは、中間ユーザー携帯電話１２を使用し、投稿文を入力するとともに、投稿写真を撮影した後、投稿文や投稿写真を携帯メールとしてコンピュータ１０に送信する。
【０１６８】
投稿文や投稿写真のコンピュータ１０への送信が終了すると、第１コンピュータ１０は、投稿写真表示エリア２９ｂに投稿写真を貼り付け、投稿文表示エリア２９ｃに投稿文を貼り付けるとともに、最近の更新表示エリア２９ｄにそのＷｅｂページを表示してＷｅｂサイトのＷｅｂページを作成する（Ｗｅｂページ第１作成手段）。コンピュータ１０は、作成したＷｅｂページをＷｅｂサイトのドメイン名に関連付けた状態でハードディスクに格納する。コンピュータ１０は、ページ投稿完了メッセージ画面を中間ユーザー携帯電話１２のディスプレイ１４に表示する（図３１（ｂ）援用）。
【０１６９】
図３１（ｂ）のページ投稿完了メッセージ画面においてメニューに戻るボタン３０ｅをクリックして図２５（ｂ）の携帯Ｗｅｂ画面を表示させ、図２５（ｂ）の携帯Ｗｅｂ画面の開設Ｗｅｂサイト一覧ボタン２５ｃをクリックして再び図２８のＷｅｂサイト一覧画面を表示させた後、投稿文や投稿写真を投稿したＷｅｂサイトのＷｅｂページ作成ボタン２８ｄをクリックする。Ｗｅｂページ作成ボタン２８ｄをクリックすると、第１コンピュータ１０は、Ｗｅｂページ画面を中間ユーザー携帯電話１２のディスプレイ１４に表示する（図３２援用）。第１コンピュータ１０は、作成したＷｅｂページを含むＷｅｂサイトをインターネット１５を通じて公開（出力）する（Ｗｅｂサイト第１出力手段）。
【０１７０】
Ｗｅｂサイト作成システムは、各中間ユーザー携帯電話１２を使用し、事前に登録された各ドメイン名に対応する複数のＷｅｂサイトを開設するとともに、各中間ユーザー携帯電話１２から送信された携帯メールを使用し、各ドメイン名に対応するそれらＷｅｂサイトのＷｅｂページを作成することができるから、中間ユーザーの携帯電話１２を介して簡単かつ速やかにＷｅｂサイトを開設することができるとともに、中間ユーザーの携帯電話１２を介して簡単かつ速やかにＷｅｂサイトのＷｅｂページを作成することができる。
【０１７１】
Ｗｅｂサイト作成システムは、各中間ユーザー携帯電話１２を使用して複数のエンドユーザーを紹介するための各ＷｅｂサイトのＷｅｂページを作成するから、複数のエンドユーザーの商品や役務についてＷｅｂページを通じて広範囲にアピールすることができるとともに、そのＷｅｂサイトのエンドユーザー自身による利用を促進することができる。Ｗｅｂサイト作成システムは、中間ユーザー携帯電話１２によって作成されたＷｅｂページを含むＷｅｂサイトがインターネット１５を通じて公開（出力）されるから、複数のエンドユーザーの商品や役務についての情報をインターネット１５を通じて全世界に伝えることができる。
【０１７２】
中間ユーザー携帯電話１２を介して作成済みのＷｅｂページを編集する場合、図２９のＷｅｂサイト表示画面または図３２の完成したＷｅｂページ画面において管理メニューボタン２９ｅ，３２ｆをクリックする。管理メニューボタン２９ｅ，３２ｆをクリックすると、第１コンピュータ１０は、図３０の管理メニュー画面を中間ユーザー携帯電話１２のディスプレイ１４に表示する。中間ユーザー携帯電話１２を使用し、図３０の管理メニュー画面においてページ内容改変ボタン３０ｃをクリックする。
【０１７３】
ページ内容改変ボタン３０ｃをクリックすると、第１コンピュータ１０は、図３３に示す編集ページ選択画面を中間ユーザー携帯電話１２のディスプレイ１４に表示する（図３３援用）。図３３の編集ページ選択画面においてページ編集ボタン３３ｂをクリックすると、ページ編集信号がコンピュータ１０に送信され、コンピュータ１０は、そのページを編集すると判断し、Ｗｅｂページ編集画面を中間ユーザー携帯電話１２のディスプレイ１４に表示する（図３４援用）。中間ユーザーは、中間ユーザー携帯電話１２を使用し、投稿写真編集エリア３４ｂに表示された投稿写真を他のそれに替えることができ、投稿文字編集エリア３４ｃに表示された投稿文字を他のそれに替えることができる。投稿写真や投稿文字を替えた後、編集ボタン３４ｄをクリックする。
【０１７４】
編集ボタン３４ｄをクリックすると、第１コンピュータ１０は、ページ編集確認画面を中間ユーザー携帯電話１２のディスプレイ１４に表示する（図３５援用）。編集後の投稿写真や投稿文字を確認した後、ＯＫボタン３５ｄをクリックする。ＯＫボタン３５ｄをクリックすると、コンピュータ１０は、投稿写真表示エリア３３ｄに編集後の投稿写真を貼り付け、投稿文表示エリア３３ｅに編集後の投稿文を貼り付けるとともに、最近の更新表示エリア３３ｆにそのＷｅｂページを表示してＷｅｂサイトのＷｅｂページを編集する（Ｗｅｂページ第１編集手段）。コンピュータ１０は、編集したＷｅｂページを含むＷｅｂサイトをインターネット１５を通じて公開（出力）する（Ｗｅｂサイト第１出力手段）。
【０１７５】
第１コンピュータ１０は、編集したＷｅｂページをＷｅｂサイトのドメイン名に関連付けた状態でハードディスクに格納する。コンピュータ１０は、ページ編集完了画面を中間ユーザー携帯電話１２のディスプレイ１４に表示する（図３６援用）。図３６のページ編集完了画面において編集ページへボタン３６ｂをクリックすると、コンピュータ１０は、編集後のＷｅｂページを中間ユーザー携帯電話１２のディスプレイ１４に表示する。
【０１７６】
Ｗｅｂサイト作成システムは、中間ユーザーが中間ユーザー携帯電話１２を使用して各ドメイン名に対応するそれらＷｅｂサイトのＷｅｂページを編集することができるから、中間ユーザー携帯電話１２を介してＷｅｂページを編集しつつ魅力的なＷｅｂページを作ることができる。Ｗｅｂサイト作成システムは、各中間ユーザー携帯電話１２を使用して複数のエンドユーザーを紹介するための各ＷｅｂサイトのＷｅｂページを編集するから、編集したＷｅｂページを通じて複数のエンドユーザーの商品や役務を広範囲にアピールすることができるとともに、そのＷｅｂサイトのエンドユーザー自身による利用を促進することができる。Ｗｅｂサイト作成システムは、中間ユーザー携帯電話１２によって編集されたＷｅｂページを含むＷｅｂサイトがインターネット１５を通じて出力されるから、複数のエンドユーザーの商品や役務についての情報をインターネット１５を通じて全世界に伝えることができる。
【０１７７】
特定のＷｅｂページを削除する場合、図３３の編集ページ選択画面においてページ削除ボタン３３ｃをクリックする。ページ削除ボタン３３ｃをクリックすると、ページ削除信号がコンピュータ１０に送信され、第１コンピュータ１０は、そのページを削除すると判断し、図３７に示すＷｅｂページ削除画面を中間ユーザー携帯電話１２のディスプレイ１４に表示する（図３７援用）。中間ユーザーは、図３７のＷｅｂページ削除画面において削除するＷｅｂページを再度確認した後、そのＷｅｂページを削除する場合、削除ボタン３７ｄをクリックする。削除ボタン３７ｄをクリックすると、コンピュータ１０は、削除対象のＷｅｂページに終了フラグ（終了日時を含む）を設定し、終了フラグとともにそのＷｅｂページをハードディスクに格納する（Ｗｅｂページ第１削除手段）。または、そのＷｅｂページをハードディスクから消去する（Ｗｅｂページ第１削除手段）。
【０１７８】
終了フラグとともに削除対象のＷｅｂページをハードディスクに格納した後、または、削除対象のＷｅｂページをハードディスクから消去した後、第１コンピュータ１０は、図３８に示すページ削除確認画面を中間ユーザー携帯電話１２のディスプレイ１４に表示する（図３８援用）。Ｗｅｂサイト作成システムは、中間ユーザーが中間ユーザー携帯電話１２を使用して不必要なＷｅｂページを削除することができるから、中間ユーザー携帯電話１２を介して不必要なＷｅｂページを削除しつつ魅力的なＷｅｂページを作ることができる。
【０１７９】
中間ユーザーは、たとえばエンドユーザーの店舗に訪問し、中間ユーザー携帯電話１２を介して作成したそのエンドユーザーのＷｅｂページを含むＷｅｂサイトを見せ、エンドユーザー携帯電話１３を使用してそのＷｅｂページをそのままエンドユーザーのＷｅｂページにすることができ、そのＷｅｂページをエンドユーザー携帯電話１３を介して簡単に編集・更新できるこのシステムの魅力をアピールする。エンドユーザーがこのシステムを気に入ってその導入を決めた場合、エンドユーザーの第１コンピュータ１０（システム）への登録手続が行われる。
【０１８０】
なお、エンドユーザー携帯電話１３の第１コンピュータ１０（システム）への登録は、同一の携帯電話であれば一度だけ行えばよく、登録手続を複数回行う必要はない。コンピュータ１０は、エンドユーザー携帯電話１３からそのエンドユーザーのＷｅｂサイトの投稿用メールアドレス宛（第１コンピュータ１０の携帯メールサーバの投稿用メールアドレス）に携帯メール（空メール）を送信させる（メール送信第２要求手段）。エンドユーザーは、エンドユーザー携帯電話１３から指定された投稿用メールアドレス宛に携帯メール（空メール）を送信する。コンピュータ１０には、エンドユーザー携帯電話１３のメールアドレスとエンドユーザー携帯電話１３を特定するエンドユーザー携帯電話識別番号とが送信される。
【０１８１】
エンドユーザー携帯電話１３から第１コンピュータ１０に携帯メールが送信されると、コンピュータ１０は、エンドユーザー携帯電話１３のメールアドレスをハードディスクに登録（格納）するとともに、エンドユーザー携帯電話１３のエンドユーザー携帯電話識別番号をハードディスクに登録（格納）する（メールアドレス第２登録手段）。コンピュータ１０は、エンドユーザー携帯電話１３のメールアドレスをエンドユーザー携帯電話識別番号に関連付けた状態でハードディスクに格納する。
【０１８２】
エンドユーザー携帯電話１３のメールアドレスとエンドユーザー携帯電話識別番号とをハードディスクに格納した後、第１コンピュータ１０は、そのエンドユーザー携帯電話１３のメールアドレスに対応するエンドユーザー登録ＵＲＬ（第１コンピュータログイン用ＵＲＬ）を生成し、生成したエンドユーザー登録ＵＲＬをエンドユーザー携帯電話１３のメールアドレスとエンドユーザー携帯電話識別番号とに関連付けた状態でハードディスクに格納する。エンドユーザー登録ＵＲＬをハードディスクに格納した後、コンピュータ１０は、エンドユーザー携帯電話１３のメールアドレスを使用し、生成したエンドユーザー登録ＵＲＬをエンドユーザー携帯電話１３に送信する（ＵＲＬ第２送信手段）。
【０１８３】
携帯メールを送信したエンドユーザーのエンドユーザー携帯電話１３には、第１コンピュータ１０からエンドユーザー登録ＵＲＬを表示した携帯メールが届く。エンドユーザー登録ＵＲＬを受信したエンドユーザーは、ディスプレイ１６に表示されたエンドユーザー登録ＵＲＬをクリックすることで、コンピュータ１０（システム）にログインすることができる。エンドユーザー携帯電話１３のディスプレイ１６に表示されたＵＲＬをクリックすると、そのエンドユーザー携帯電話１３がコンピュータ１０（システム）にログインし、携帯電話１３のディスプレイ１６に携帯電話１３の登録手続画面が表示される（図４０援用）。なお、識別子には、中間ユーザー携帯電話１２によってＷｅｂサイト開設時に中間ユーザー携帯電話１２からコンピュータ１０に登録されたそれを使用する。識別子は、エンドユーザー携帯電話１３の登録時に中間ユーザーから教えてもらう。
【０１８４】
識別子入力エリア４０ｂに識別子を入力して登録ボタン４０ｃをクリックすると、識別子入力エリア４０ｂに入力された識別子がコンピュータ１０に送信される。第１コンピュータ１０は、ハードディスクに格納された識別子に送信された識別子を当て嵌め、送信された識別子と同一のそれがハードディスクに格納されている場合であって、その識別子に対応するＷｅｂサイトにエンドユーザー登録がされていない場合、そのエンドユーザーのユーザー登録を許可する。送信された識別子と同一のそれがハードディスクに格納されていない場合、または、その識別子に対応するＷｅｂサイトに既にエンドユーザー登録がされている場合、コンピュータ１０はユーザー登録不可メッセージをエンドユーザー携帯電話１３のディスプレイ１６に表示する。
【０１８５】
エンドユーザー登録を許可した後、第１コンピュータ１０は、エンドユーザー携帯電話１３のメールアドレスとエンドユーザー携帯電話識別番号とに登録フラグを設定する（エンドユーザー登録手段）。登録フラグを設定した後、コンピュータ１０は、エンドユーザー登録完了画面をエンドユーザー携帯電話１３のディスプレイ１６に表示する（図４１援用）。
【０１８６】
エンドユーザーがＷｅｂページ作成する場合、エンドユーザーは、エンドユーザー携帯電話１３を使用し、それに表示されたエンドユーザー登録ＵＲＬをクリック、または、エンドユーザー登録ＵＲＬを入力してログインボタンをクリックする。エンドユーザー携帯電話１３がコンピュータ１０（システム）にログインすると、エンドユーザー携帯電話１３のディスプレイ１６にそのエンドユーザーのＷｅｂページ画面が表示される（図４２援用）。第１コンピュータ１０は、エンドユーザー携帯電話１３のディスプレイ１６に表示されたＷｅｂページを含むＷｅｂサイトをインターネット１５を通じて公開する（Ｗｅｂサイト第２出力手段）。
【０１８７】
エンドユーザー携帯電話１３のディスプレイ１６に表示されたＷｅｂページ画面において管理メニューボタン４２ｆをクリックすると、第１コンピュータ１０は、管理メニュー画面をエンドユーザー携帯電話１３のディスプレイ１６に表示する（図３０援用）。エンドユーザー携帯電話１３を使用し、管理メニュー画面において掲載情報作成ボタンをクリックする。掲載情報作成ボタンをクリックすると、メーラが起動し、そのＷｅｂサイトの投稿用メールアドレスを使用してコンピュータ１０の携帯メールサーバにログインする。第１コンピュータ１０は、Ｗｅｂページ作成画面をエンドユーザー携帯電話１３のディスプレイ１６に表示する（図３１（ａ）援用）。エンドユーザーは、エンドユーザー携帯電話１３を使用し、投稿文を入力するとともに、投稿写真を撮影した後、投稿文や投稿写真を携帯メールとしてコンピュータ１０に送信する。
【０１８８】
投稿文や投稿写真のコンピュータ１０への送信が終了すると、第１コンピュータ１０は、投稿写真表示エリアに投稿写真を貼り付け、投稿文表示エリアに投稿文を貼り付けるとともに、最近の更新表示エリアにそのＷｅｂページを表示してＷｅｂサイトのＷｅｂページを作成する（Ｗｅｂページ第２作成手段）。コンピュータ１０は、作成したＷｅｂページをＷｅｂサイトのドメイン名に関連付けた状態でハードディスクに格納する。コンピュータ１０は、ページ投稿完了メッセージ画面をエンドユーザー携帯電話１３のディスプレイ１６に表示する（図３１（ｂ）援用）。
【０１８９】
エンドユーザー携帯電話１３がコンピュータ１０（システム）にログインすると、エンドユーザー携帯電話１３のディスプレイ１６にそのエンドユーザーによって作成されたＷｅｂページ画面が表示される。第１コンピュータ１０は、エンドユーザー携帯電話１３のディスプレイ１６に表示されたＷｅｂページを含むＷｅｂサイトをインターネット１５を通じて公開する（Ｗｅｂサイト第２出力手段）。
【０１９０】
Ｗｅｂサイト作成システムは、エンドユーザー携帯電話１３から送信された携帯メールを使用し、特定のドメイン名に対応するＷｅｂサイトのＷｅｂページを作成することができ、エンドユーザーの携帯電話１３を介して簡単かつ迅速にＷｅｂサイトのＷｅｂページを作成することができる。Ｗｅｂサイト作成システムは、エンドユーザー携帯電話１３を使用して特定のエンドユーザーを紹介するための各ＷｅｂサイトのＷｅｂページを作成するから、作成したＷｅｂページを通じて特定のエンドユーザーの商品や役務を広範囲にアピールすることができるとともに、作成されたＷｅｂページを含むＷｅｂサイトがインターネット１５を通じて公開されるから、そのエンドユーザーの商品や役務についての情報をインターネット１５を通じて全世界に伝えることができる。
【０１９１】
エンドユーザーがＷｅｂページ編集する場合、エンドユーザー携帯電話１３を使用し、管理メニュー画面（図３０援用）においてページ内容改変ボタンをクリックする。ページ内容改変ボタンをクリックすると、第１コンピュータ１０は、編集ページ選択画面をエンドユーザー携帯電話１３のディスプレイ１６に表示する（図３３援用）。編集ページ選択画面においてページ編集ボタンをクリックすると、ページ編集信号がコンピュータ１０に送信され、コンピュータ１０は、そのページを編集すると判断し、Ｗｅｂページ編集画面をエンドユーザー携帯電話１３のディスプレイ１６に表示する（図３４援用）。
【０１９２】
エンドユーザーは、エンドユーザー携帯電話１３を使用し、投稿写真編集エリアに表示された投稿写真を他のそれに替えることができ、投稿文字編集エリアに表示された投稿文字を他のそれに替えることができる。投稿写真や投稿文字を替えた後、編集ボタンをクリックする。編集ボタンをクリックすると、第１コンピュータ１０は、ページ編集確認画面をエンドユーザー携帯電話１３のディスプレイ１６に表示する（図３５援用）。
【０１９３】
編集後の投稿写真や投稿文字を確認した後、ページ編集確認画面においてＯＫボタンをクリックする。ＯＫボタンをクリックすると、第１コンピュータ１０は、投稿写真表示エリアに編集後の投稿写真を貼り付け、投稿文表示エリアに編集後の投稿文を貼り付けるとともに、最近の更新表示エリアにそのＷｅｂページを表示してＷｅｂサイトのＷｅｂページを編集する（Ｗｅｂページ第２編集手段）。コンピュータ１０は、編集したＷｅｂページを含むＷｅｂサイトをインターネット１５を通じて公開する（Ｗｅｂサイト第２出力手段）。
【０１９４】
第１コンピュータ１０は、編集したＷｅｂページをＷｅｂサイトのドメイン名に関連付けた状態でハードディスクに格納する。コンピュータ１０は、ページ編集完了画面をエンドユーザー携帯電話１３のディスプレイ１６に表示する（図３６援用）。ページ編集完了画面において編集ページへボタンをクリックすると、コンピュータ１０は、編集後のＷｅｂページをエンドユーザー携帯電話１３のディスプレイ１６に表示する。
【０１９５】
Ｗｅｂサイト作成システムは、エンドユーザーがエンドユーザー携帯電話１３を使用してドメイン名に対応するＷｅｂサイトのＷｅｂページを編集することができるから、エンドユーザー携帯電話１３を介してＷｅｂページを編集しつつ魅力的なＷｅｂページを作ることができる。Ｗｅｂサイト作成システムは、エンドユーザー携帯電話１３を使用して自己を紹介するためのＷｅｂサイトのＷｅｂページを編集するから、編集したＷｅｂページを通じてそのエンドユーザーの商品や役務を広範囲にアピールすることができる。Ｗｅｂサイト作成システムは、エンドユーザー携帯電話１３によって編集されたＷｅｂページを含むＷｅｂサイトがインターネット１５を通じて出力されるから、エンドユーザーの商品や役務についての情報をインターネット１５を通じて全世界に伝えることができる。
【０１９６】
特定のＷｅｂページを削除する場合、編集ページ選択画面（図３３援用）においてページ削除ボタンをクリックする。ページ削除ボタンをクリックすると、ページ削除信号がコンピュータ１０に送信され、第１コンピュータ１０は、そのページを削除すると判断し、Ｗｅｂページ削除画面をエンドユーザー携帯電話１３のディスプレイ１６に表示する（図３７援用）。
【０１９７】
エンドユーザーは、削除するＷｅｂページを再度確認した後、そのＷｅｂページを削除する場合、削除ボタンをクリックする。削除ボタンをクリックすると、第１コンピュータ１０は、削除対象のＷｅｂページに終了フラグ（終了日時を含む）を設定し、終了フラグとともにそのＷｅｂページをハードディスクに格納する（Ｗｅｂページ第２削除手段）。または、そのＷｅｂページをハードディスクから消去する（Ｗｅｂページ第２削除手段）。
【０１９８】
終了フラグとともに削除対象のＷｅｂページをハードディスクに格納した後、または、削除対象のＷｅｂページをハードディスクから消去した後、第１コンピュータ１０は、ページ削除確認画面をエンドユーザー携帯電話１３のディスプレイ１６に表示する（図３８援用）。Ｗｅｂサイト作成システムは、エンドユーザーがエンドユーザー携帯電話１３を使用して不必要なＷｅｂページを削除することができるから、エンドユーザー携帯電話１３を介して不必要なＷｅｂページを削除しつつ魅力的なＷｅｂページを作ることができる。
【０１９９】
エンドユーザー登録を削除する場合、中間ユーザーは、中間ユーザー携帯電話１２を使用し、管理メニュー画面（図３０援用）においてユーザー削除ボタン３０ｄをクリックする。ユーザー削除ボタン３０ｄをクリックすると、第１コンピュータ１０は、ユーザー削除画面を中間ユーザー携帯電話１２のディスプレイ１４に表示する（図４３援用）。図４３のユーザー削除画面において削除する投稿用メールアドレスがある場合、その投稿用メールアドレスに対応する削除ボタン４３ｂをクリックする。削除ボタン４３ｂをクリックすると、その投稿用メールアドレスの削除信号が中間ユーザー携帯電話１２からコンピュータ１０に送信される。第１コンピュータ１０は、ユーザー削除確認画面を中間ユーザー携帯電話１２のディスプレイ１４に表示する（図４３援用）。
【０２００】
中間ユーザーは、削除対象投稿用メールアドレスを確認した後、削除ボタン４４ｃをクリックする。削除ボタン４４ｃをクリックすると、第１コンピュータ１０は、削除対象の投稿用メールアドレスに終了フラグ（終了日時を含む）を設定し、終了フラグとともにその投稿用メールアドレスをハードディスクに格納する（エンドユーザー削除手段）。または、その投稿用メールアドレスをハードディスクから消去する（エンドユーザー削除手段）。
【０２０１】
終了フラグとともに削除対象の投稿用メールアドレスをハードディスクに格納した後、または、削除対象の投稿用メールアドレスをハードディスクから消去した後、第１コンピュータ１０は、ユーザー削除完了画面を中間ユーザー携帯電話１２のディスプレイ１４に表示する（図４５援用）。Ｗｅｂサイト作成システムは、このシステムの利用を希望しないエンドユーザーやこのシステムの利用を終了したいエンドユーザーのエンドユーザー登録を削除することにより、そのエンドユーザーにとって不必要なＷｅｂサイトの開設や不必要なＷｅｂページの作成を防ぐことができる。
【符号の説明】
【０２０２】
１０    第１コンピュータ
１１    第２コンピュータ
１２    中間ユーザー携帯電話
１３    エンドユーザー携帯電話
１５    インターネット
【図１】
0005509110.tif 000002
【図２】
0005509110.tif 000003
【図３】
0005509110.tif 000004
【図４】
0005509110.tif 000005
【図５】
0005509110.tif 000006
【図６】
0005509110.tif 000007
【図７】
0005509110.tif 000008
【図８】
0005509110.tif 000009
【図９】
0005509110.tif 000010
【図１０】
0005509110.tif 000011
【図１１】
0005509110.tif 000012
【図１２】
0005509110.tif 000013
【図１３】
0005509110.tif 000014
【図１４】
0005509110.tif 000015
【図１５】
0005509110.tif 000016
【図１６】
0005509110.tif 000017
【図１７】
0005509110.tif 000018
【図１８】
0005509110.tif 000019
【図１９】
0005509110.tif 000020
【図２０】
0005509110.tif 000021
【図２１】
0005509110.tif 000022
【図２２】
0005509110.tif 000023
【図２３】
0005509110.tif 000024
【図２４】
0005509110.tif 000025
【図２５】
0005509110.tif 000026
【図２６】
0005509110.tif 000027
【図２７】
0005509110.tif 000028
【図２８】
0005509110.tif 000029
【図２９】
0005509110.tif 000030
【図３０】
0005509110.tif 000031
【図３１】
0005509110.tif 000032
【図３２】
0005509110.tif 000033
【図３３】
0005509110.tif 000034
【図３４】
0005509110.tif 000035
【図３５】
0005509110.tif 000036
【図３６】
0005509110.tif 000037
【図３７】
0005509110.tif 000038
【図３８】
0005509110.tif 000039
【図３９】
0005509110.tif 000040
【図４０】
0005509110.tif 000041
【図４１】
0005509110.tif 000042
【図４２】
0005509110.tif 000043
【図４３】
0005509110.tif 000044
【図４４】
0005509110.tif 000045
【図４５】
0005509110.tif 000046